(57)【要約】  物質を尿道に挿入するためのデバイスであって、丸みのあるノズル先端部を備え、尿道に少なくとも部分的に挿入されるようにサイズ設定されたノズルと、ノズルに結合された圧縮物質の供給源であって、圧縮物質の圧力が２００ｃｍＨ２０未満である、圧縮物質の供給源と、供給源からノズルを通る物質の流れを制御するための制御装置とを備え、デバイスの最大の大きさが、３０ｃｍ未満である、デバイス。【選択図】図２１Ａ
2018520759.tif 000002
【特許請求の範囲】
【請求項１】
物質を尿道に挿入するためのデバイスであって、
丸みのあるノズル先端部を備え、前記尿道に少なくとも部分的に挿入されるようにサイズ設定されたノズルと、
前記ノズルに結合された圧縮物質の供給源であって、前記圧縮物質の圧力が２００ｃｍＨ２０未満である、圧縮物質の供給源と、
前記供給源から前記ノズルを通る物質の流れを制御するための制御装置とを備え、
前記デバイスの最大の大きさが、３０ｃｍ未満である、物質を尿道に挿入するためのデバイス。
【請求項２】
前記ノズルの少なくとも一部分が、前記尿道に対してシールするようにサイズ設定され成形される、請求項１に記載のデバイス。
【請求項３】
前記ノズルが、デバイス本体に結合され、
前記ノズルが、前記デバイスが前記デバイス本体を使用して導かれたときに前記ノズルを前記尿道に挿入することができるように十分な剛性のものである、請求項１に記載のデバイス。
【請求項４】
前記圧縮物質の前記圧力が、前記尿道をノズル先端部から前記膀胱まで開く、請求項１に記載のデバイス。
【請求項５】
前記ノズルが、平常時に前記ノズルの本体の内部に反転される部分を含み、
前記物質の前記圧力が、前記部分の反転を戻す、請求項１に記載のデバイス。
【請求項６】
前記供給源が、加圧物質容器を備える、請求項１に記載のデバイス。
【請求項７】
前記供給源が、
物質容器と、
圧縮可能な物質の収集のための入口と、
前記入口に結合された、収集された物質を圧縮して前記物質容器に入れるためのポンプとを備える、請求項１に記載のデバイス。
【請求項８】
前記制御装置が、最大量を上回る物質が期間内に投与されることを防止する、請求項１に記載のデバイス。
【請求項９】
前記ノズルを前記尿道と位置合わせするための位置決め要素を備える、請求項１に記載のデバイス。
【請求項１０】
前記位置決め要素の少なくとも一部分が、体部分内に置かれるようにサイズ設定され成形される、請求項９に記載のデバイス。
【請求項１１】
前記位置決め要素が、尿道に対する前記デバイスの少なくとも一部分の場所に関して少なくとも１つの視覚的手がかりをユーザに与えるための視覚的要素を備える、請求項９に記載のデバイス。
【請求項１２】
前記位置決め要素が、鏡を備える、請求項１１に記載のデバイス。
【請求項１３】
前記位置決め要素が、カメラを備える、請求項１１に記載のデバイス。
【請求項１４】
前記圧縮物質が、ガスである、請求項１に記載のデバイス。
【請求項１５】
前記圧縮物質が、大気である、請求項１に記載のデバイス。
【請求項１６】
前記圧縮物質が、液体および圧縮可能な要素の混合物である、請求項１に記載のデバイス。
【請求項１７】
前記圧縮可能な要素が、気泡である、請求項１６に記載のデバイス。
【請求項１８】
前記物質が、薬剤を含む、請求項１に記載のデバイス。
【請求項１９】
前記薬剤が、化学療法薬剤、抗生物質、過活動膀胱薬剤、およびこれらの薬剤の組み合わせからなる群から選択される、請求項１８に記載のデバイス。
【請求項２０】
物質を尿道に挿入するためのデバイスであって、
圧縮物質の供給源であって、前記圧縮物質の圧力が２００ｃｍＨ２Ｏ未満である、圧縮物質の供給源と、
前記供給源に結合され、前記尿道の周りの生殖器組織に対してシールを形成するように適合された丸みのあるノズルであって、前記シールは、前記圧縮物質の前記圧力に耐えることができる、丸みのあるノズルと、
前記供給源から前記ノズルを通る物質の流れを制御するための制御装置とを備え、
前記圧力が、前記尿道を尿道開口部から膀胱まで開くのに十分であり、
前記デバイスの最大の大きさが、３０ｃｍ未満である、デバイス。
【請求項２１】
前記供給源が、加圧物質容器を備える、請求項２０に記載のデバイス。
【請求項２２】
前記供給源が、
物質容器と、
圧縮可能な物質の収集のための入口と、
前記入口に結合された、収集された物質を圧縮して前記物質容器内に入れるためのポンプとを備える、請求項２０に記載のデバイス。
【請求項２３】
前記制御装置が、最大量を上回る物質が期間内に投与されることを防止する、請求項２０に記載のデバイス。
【請求項２４】
前記圧縮物質が、ガスである、請求項２０に記載のデバイス。
【請求項２５】
前記圧縮物質が、大気である、請求項２０に記載のデバイス。
【請求項２６】
前記圧縮物質が、液体および圧縮可能な要素の混合物である、請求項２０に記載のデバイス。
【請求項２７】
前記圧縮可能な要素が、気泡である、請求項２６に記載のデバイス。
【請求項２８】
前記物質が、薬剤を含む、請求項２０に記載のデバイス。
【請求項２９】
前記薬剤が、化学療法薬剤、抗生物質、過活動膀胱薬剤、およびこれらの薬剤の組み合わせからなる群から選択される、請求項２８に記載のデバイス。
【請求項３０】
緊張性尿失禁の治療の非外傷的方法であって、
２００ｃｃ未満の加圧物質を尿道内に導入することを含み、前記物質の圧力が、２００ｃｍＨ２０未満であり、前記圧力が、膀胱の近位にある前記尿道の少なくとも一部分を開くのに十分なものであり、それによって前記物質は膀胱内に進行する、緊張性尿失禁の治療の非外傷的方法。
【請求項３１】
前記導入することが、反復される、請求項３０に記載の方法。
【請求項３２】
最大量未満の物質が、期間内に投与される、請求項３１に記載の方法。
【請求項３３】
前記導入することが、ユーザ入力に基づくものである、請求項３０に記載の方法。
【請求項３４】
物質の前記量が、前記ユーザ入力によって規定される、請求項３０に記載の方法。
【請求項３５】
圧縮物質を提供することを含む、請求項３０に記載の方法。
【請求項３６】
提供することが、空気を圧縮することを含む、請求項３５に記載の方法。
【請求項３７】
前記膀胱内の前記物質が、ピーク膀胱衝撃圧力応答を前記尿道が開く圧力（ｐｕｒａ）未満に低減する、請求項３０に記載の方法。
【請求項３８】
ノズルとユーザ尿道を位置合わせすることを含む、請求項３０に記載の方法。
【請求項３９】
前記導入することが、ユーザによるものであり、
前記尿道が、ユーザ尿道である、請求項３０に記載の方法。
【発明の詳細な説明】
【技術分野】
【０００１】
本発明は、その一部の実施形態において、失禁の治療のための方法およびデバイスに関し、より詳細には、限定的ではないが、緊張性尿失禁の治療のための方法およびデバイスに関する。
【背景技術】
【０００２】
緊張性尿失禁（ＳＵＩ）は、一般に、特に、咳き込み、くしゃみ、または娩出などの腹部内圧力を上昇させる活動中、骨盤底筋が尿の通過を防止するほど十分な強度を有さないことによるものと考えられている。
【０００３】
ＳＵＩは、男女共に罹患し得るが、よく見られるのは女性である。骨盤底の強度に関連する要因、たとえば（たとえば更年期後の）膣または尿道内の皮膚の希薄化および乾燥、（たとえば出産後の）骨盤筋の脆弱化および伸長がＳＵＩの原因であると考えられている。また、膀胱および膀胱を調節する筋肉に及ぼす圧力を上昇させる可能性がある肥満、尿路感染症、血管疾患、および手術による合併症もまた、ＳＵＩの一因になり得ると考えられている。
【０００４】
さまざまなＳＵＩの治療が存在している。治療には、非外科的および外科的選択肢がある。非外科的治療には、たとえば、骨盤底を強化する体操（たとえばケーゲル体操）を行うこと、膣の壁およびその近くの尿道を押さえつけるペッサリを膣内に挿入すること、および泌尿器括約筋近くにコラーゲンおよび炭素を注射することなどがある。外科的治療には、たとえば、スリングサスペンション（ｓｌｉｎｇ  ａｎｄ  ｓｕｓｐｅｎｓｉｏｎ）処置がある。
【０００５】
さらなる背景技術として、特許文献１、特許文献２、特許文献３、特許文献４、特許文献５、特許文献６、特許文献７、特許文献８、特許文献９、特許文献１０、特許文献１１、特許文献１２、特許文献１３、特許文献１４、特許文献１５、特許文献１６が挙げられる。
【先行技術文献】
【特許文献】
【０００６】
【特許文献１】国際公開第２０００／０５４７０１号
【特許文献２】米国特許第８４３９８６７号明細書
【特許文献３】米国特許出願公開第２００５／２８８６３９号明細書
【特許文献４】米国特許第５０９０４２４号明細書
【特許文献５】米国特許第４６１２９３９号明細書
【特許文献６】米国特許第７６１５０４６号明細書
【特許文献７】米国特許第６５２７７０２号明細書
【特許文献８】米国特許第６１１９６９７号明細書
【特許文献９】国際公開第１３／１０９１６３号
【特許文献１０】米国特許第５０１９０３２号明細書
【特許文献１１】欧州特許第０２５８６９０号明細書
【特許文献１２】米国特許第６６９９１７５号明細書
【特許文献１３】米国特許第４０６３５４８号明細書
【特許文献１４】米国特許第７１１２１７７号明細書
【特許文献１５】米国特許第６４４７４６２号明細書
【特許文献１６】米国特許第６０２１７８１号明細書
【発明の概要】
【課題を解決するための手段】
【０００７】
本発明の一部の実施形態の態様によれば、物質を尿道に挿入するためのデバイスであって、丸みのあるノズル先端部を備え、尿道に少なくとも部分的に挿入されるようにサイズ設定されたノズルと、ノズルに結合された圧縮物質の供給源であって、圧縮物質の圧力が２００ｃｍＨ２０未満である、圧縮物質の供給源と、供給源からノズルを通る物質の流れを制御するための制御装置とを備え、デバイスの最大の大きさは３０ｃｍ未満である、デバイスが提供される。
【０００８】
本発明の一部の実施形態によれば、ノズルの少なくとも一部分は、尿道に対してシールするようにサイズ設定され成形される。本発明の一部の実施形態によれば、ノズルは、デバイス本体に結合され、ノズルは、デバイスがデバイス本体を使用して導かれたときにノズルを尿道に挿入することができるように十分な剛性のものである。本発明の一部の実施形態によれば、圧縮物質の圧力は、尿道をノズル先端部から膀胱まで開く。本発明の一部の実施形態によれば、ノズルは、平常時にその本体の内側に反転された部分を含み、物質の圧力がその部分の反転を戻す（ｕｎｉｎｖｅｒｔ）。
【０００９】
本発明の一部の実施形態の態様によれば、物質を尿道に挿入するためのデバイスであって、圧縮物質の供給源であって、圧縮物質の圧力が２００ｃｍＨ２０未満である、圧縮物質の供給源と、供給源に結合され、尿道の周りの生殖器組織に対してシールを形成するように適合された丸みのあるノズルであって、シールは圧縮物質の圧力に耐えることができる、丸みのあるノズルと、供給源からノズルを通る物質の流れを制御するための制御装置とを備え、圧力が、尿道を尿道開口部から膀胱まで開くのに十分であり、デバイスの最大の大きさが３０ｃｍ未満である、デバイスが提供される。
【００１０】
本発明の一部の実施形態によれば、供給源は、加圧物質容器を備える。本発明の一部の実施形態によれば、供給源は、物質容器と、圧縮可能な物質の収集のための入口と、入口に結合された、収集された物質を圧縮して物質容器に入れるためのポンプとを備える。
【００１１】
本発明の一部の実施形態によれば、制御装置は、最大量を上回る物質が期間内に投与されることを防止する。
【００１２】
本発明の一部の実施形態によれば、デバイスは、ノズルと尿道を位置合わせするための位置決め要素を備える。本発明の一部の実施形態によれば、位置決め要素の少なくとも一部分は、体部分内に置かれるようにサイズ設定され成形される。本発明の一部の実施形態によれば、位置決め要素は、尿道に対するデバイスの少なくとも一部分の場所に関して少なくとも１つの視覚的手がかりをユーザに与えるための視覚的要素を備える。本発明の一部の実施形態によれば、位置決め要素は、鏡を備える。本発明の一部の実施形態によれば、位置決め要素はカメラを備える。
【００１３】
本発明の一部の実施形態によれば、圧縮物質は、ガスである。本発明の一部の実施形態によれば、圧縮物質は、大気である。本発明の一部の実施形態によれば、圧縮物質は液体および圧縮可能な要素の混合物である。本発明の一部の実施形態によれば、圧縮可能な要素は、気泡である。本発明の一部の実施形態によれば、物質は薬剤を含む。本発明の一部の実施形態によれば、薬剤は、化学療法薬剤、抗生物質、過活動膀胱薬剤（ｂｌａｄｄｅｒ  ｏｖｅｒ  ａｃｔｉｖｉｔｙ  ｍｅｄｉｃａｔｉｏｎ）、およびこれらの薬剤の組み合わせからなる群から選択される。
【００１４】
本発明の一部の実施形態の態様によれば、緊張性尿失禁の治療の非外傷的方法であって、２００ｃｃ未満の加圧物質を尿道内に導入することを含み、物質の圧力が、２００ｃｍＨ２０未満であり、圧力が、膀胱の近位にある尿道の少なくとも一部分を開くのに十分なものであり、それによって物質が膀胱内に進行する、緊張性尿失禁の治療の非外傷的方法が提供される。
【００１５】
本発明の一部の実施形態によれば、導入することは、反復される。
【００１６】
本発明の一部の実施形態によれば、最大量未満の物質が、期間内に投与される。
【００１７】
本発明の一部の実施形態によれば、導入することは、ユーザ入力に基づく。本発明の一部の実施形態によれば、物質の量は、ユーザ入力によって規定される。
【００１８】
本発明の一部の実施形態によれば、方法は、圧縮物質を提供することを含む。本発明の一部の実施形態によれば、提供することは、空気を圧縮することを含む。
【００１９】
本発明の一部の実施形態によれば、膀胱内の物質は、ピーク膀胱衝撃圧力応答を尿道が開く圧力（ｐｕｒａ）未満に低減する。
【００２０】
本発明の一部の実施形態によれば、方法は、ノズルをユーザ尿道と位置合わせすることを含む。
【００２１】
本発明の一部の実施形態によれば、導入することはユーザによるものであり、尿道はユーザの尿道である。
【００２２】
別段定義されていない限り、本明細書において使用するすべての技術的および／または科学的用語は、本発明が関係する技術分野の当業者によって一般的に理解されるのと同じ意味を有する。本明細書において説明するものに類似する、またはこれと等価である方法および物質が本発明の実施形態の実施または試験に使用可能であるが、以下では、例示的な方法および／または物質が説明される。矛盾が生じる場合、定義を含めて本特許明細書が支配する。加えて、物質、方法、および例は、例示的にすぎず、必ずしも限定的ではないものとする。
【００２３】
本発明の実施形態の方法および／またはシステムの実施は、選択されたタスクを手動で、自動的に、またはこれらを組み合わせて実行または完了することを含むことができる。さらに、本発明の方法および／またはシステムの実施形態の実際の器具類および装置により、いくつかの選択されたタスクをハードウェアによって、ソフトウェアによって、またはファームウェアによって、またはこれらの組み合わせによって、オペレーティング・システムを使用して実施することができる。
【００２４】
たとえば、選択されたタスクを本発明の実施形態によって実行するためのハードウェアは、チップまたは回路として実装することができる。ソフトウェアに関して、本発明の実施形態による選択されたタスクは、任意の適切なオペレーティング・システムを使用してコンピュータによって実行される複数のソフトウェア命令として実装することができる。本発明の例示的な実施形態では、本明細書において説明する方法および／またはシステムの例示的な実施形態による１つまたは複数のタスクは、複数の命令を実行するためのコンピューティング・プラットフォームなどのデータ・プロセッサによって実行される。任意選択で、データ・プロセッサは、命令および／またはデータを記憶するための揮発性メモリ、ならびに／または命令および／またはデータを記憶するための、非揮発性記憶装置、たとえば磁気ハードディスクおよび／または取り外し可能な媒体を含む。任意選択で、ネットワーク接続も同様に設けられる。ディスプレイおよび／またはキーボードもしくはマウスなどのユーザ入力デバイスも同様に、任意選択で設けられる。
【００２５】
本発明の一部の実施形態が、添付の図を参照して、本明細書において一例として説明されるに過ぎない。次に図を具体的に詳細に参照すると、図示する項目は例としてのみであり、本発明の実施形態の例示的論議のためのものであることが強調される。この点について、図を併用した説明により、本発明の実施形態をどのように実施することができるのかが、当業者に明らかになる。
【図面の簡単な説明】
【００２６】
【図１】膀胱の簡単な概略断面図である。
【図２】本発明の一部の実施形態による、膀胱の簡単な概略断面図である。
【図３】本発明の一部の実施形態による、時間に伴う、腹部内圧力波に応答する膀胱圧力の簡単なグラフである。
【図４】本発明の一部の実施形態による、緊張性尿失禁の治療方法の流れ図である。
【図５】本発明の一部の実施形態による、デバイスの簡単な概略側面図、およびデバイスの一部分が女性の尿道に挿入されている、女性の断面図である。
【図６Ａ】本発明の一部の実施形態による、女性の断面図、および物質を女性の尿道内に導入するデバイスの一部分の簡単な概略側面図である。
【図６Ｂ】本発明の一部の実施形態による、女性の断面図、および物質を女性の尿道内に導入するデバイスの一部分の簡単な概略側面図である。
【図７】本発明の一部の実施形態による、クッション物質が膀胱内にある、治療された女性の簡単な概略断面図である。
【図８】本発明の一部の実施形態による、男性の断面図、およびデバイスの一部分が男性の尿道に挿入されている、デバイスの簡単な概略側面図である。
【図９】本発明の一部の実施形態による、男性の断面図、および物質を男性の尿道に導入するデバイスの一部分の簡単な概略側面図である。
【図１０】本発明の一部の実施形態による、デバイスの一部分の簡単な概略側面図、および物質の導入後の男性の体の断面図である。
【図１１】本発明の一部の実施形態による、膀胱が満杯である男性の簡単な断面図、およびデバイスの簡単な側面図である。
【図１２】本発明の一部の実施形態による、治療を受けている、膀胱が満杯である（たとえばユーザが尿意切迫感を感じる）男性の簡単な断面図である。
【図１３Ａ】本発明の一部の実施形態による、クッション物質が膀胱内にある男性の断面図、および追加物質を尿道に導入するデバイスの一部分の側面図である。
【図１３Ｂ】本発明の一部の実施形態による、女性の尿道内部にシーリング部分を含むノズルの簡単な断面図である。
【図１４Ａ】本発明の一部の実施形態による、デバイスが物質を投与していないときのデバイス・ノズルの一部の簡単な断面図である。
【図１４Ｂ】本発明の一部の実施形態による、デバイスが物質を投与しているときのデバイス・ノズルの一部の簡単な断面図である。
【図１５Ａ】本発明の一部の実施形態による、デバイスが物質を投与していないときの、反転部分を含むデバイス・ノズルの一部の簡単な断面図である。
【図１５Ｂ】本発明の一部の実施形態による、反転セクションの巻き込み（ｒｏｌｌｉｎｇ）中の、デバイス・ノズルの一部の簡単な断面図である。
【図１５Ｃ】本発明の一部の実施形態による、投与中の、反転セクションを含むデバイス・ノズルの一部の簡単な断面図である。
【図１６Ａ】本発明の一部の実施形態による、反転部分を含むノズルの簡単な断面図、およびノズルが女性の尿道に挿入されている女性の断面図である。
【図１６Ｂ】本発明の一部の実施形態による、反転部分を含むノズルの簡単な断面図、およびノズルが女性の尿道に挿入され、物質を導入している女性の断面図である。
【図１６Ｃ】本発明の一部の実施形態による、反転部分を含むノズルの簡単な断面図、およびノズルが女性の尿道に挿入され、物質を導入している女性の断面図である。
【図１７Ａ】本発明の一部の実施形態による、デバイスの簡単な概略側面図である。
【図１７Ｂ】本発明の一部の実施形態による、デバイスの簡単な概略断面図である。
【図１８】本発明の一部の実施形態による、デバイスの簡単な概略側面図、およびノズルが物質を女性の尿道内に導入している女性の断面図である。
【図１９】本発明の一部の実施形態による、デバイスの簡単な概略側面図、およびノズルが物質を男性の尿道内に導入している男性の断面図である。
【図２０Ａ】本発明の一部の実施形態による、位置決め要素を含むデバイスの側面図、およびユーザの断面図の簡単な概略図である。
【図２０Ｂ】本発明の一部の実施形態による、物質供給源の簡単なブロック図である。
【図２１Ａ】本発明の一部の実施形態による、デバイスの側面図の簡単な概略図である。
【図２１Ｂ】本発明の一部の実施形態による、デバイスの上面図の簡単な概略図である。
【図２１Ｃ】本発明の一部の実施形態による、デバイスの底面図の簡単な概略図である。
【図２１Ｄ】本発明の一部の実施形態による、デバイスの前面図の簡単な概略図である。
【図２２Ａ】本発明の一部の実施形態による、ラッチ取付具を含むノズルの簡単な概略側面図である。
【図２２Ｂ】本発明の一部の実施形態による、ノズルの簡単な概略断面図である。
【図２３Ａ】本発明の一部の実施形態による、ねじ取付具を含むノズルの簡単な概略側面図である。
【図２３Ｂ】本発明の一部の実施形態による、ねじ取付具を含むノズルの簡単な概略断面図である。
【図２４】本発明の一部の実施形態による、デバイスの簡単な概略断面図である。
【図２５】本発明の一部の実施形態による、投与する調整可能な容量を含むデバイスの簡単な概略断面図である。
【図２６】本発明の一部の実施形態による、治療されていない膀胱圧力応答と治療された膀胱圧力応答を比較するための実験的な装置を示す図である。
【図２７】本発明の一部の実施形態による、２５ｃｃのガスによって治療された膀胱および治療されていない膀胱の測定された、モデル化された応力圧力応答を示す図である。
【図２８】本発明の一部の実施形態による、５０ｃｃのガスによって治療された膀胱および治療されていない膀胱の測定された、モデル化された応力圧力応答を示す図である。
【図２９】本発明の一部の実施形態による、患者の膀胱圧力測定値を示す図である。
【発明を実施するための形態】
【００２７】
本発明は、その一部の実施形態において、失禁の治療のための方法およびデバイスに関し、より詳細には、限定的ではないが、緊張性尿失禁の治療のための方法およびデバイスに関する。
【００２８】
概要
本発明の一部の実施形態の広範な態様は、膀胱の機械的特性を、（たとえば、咳き込む、くしゃみをする、笑う、重い物を持ち上げる、運動などによる）腹部内圧力波に対して膀胱の圧力応答が減衰されおよび／または分散するように変更することに関する。一部の実施形態では、内部ピーク膀胱圧力は、低減されおよび／または遅延される（たとえば、内部ピーク膀胱圧力は、時に尿道圧力（ｐｕｒａ）と呼ばれる、尿道が開く圧力以下に低減される）。
【００２９】
一部の実施形態では、ピーク膀胱圧力の遅延により、尿漏れを防ぐ際、泌尿器系の１つまたは複数の機械的機構、たとえば尿道のねじれの効果が増大する。
【００３０】
一部の実施形態では、膀胱は、本明細書では「クッション物質」と呼ばれる、尿より高い圧縮性を有する物質を含む。任意選択で、クッション物質は、膀胱内では拘束されない。
【００３１】
本発明の一部の実施形態の態様は、１つまたは複数の物質を尿道を通して膀胱内に導入することに関し、この物質は、本明細書では「導入物質」と呼ばれる。一部の実施形態では、物質は、尿道を通って圧力下で導入される。一部の実施形態では、導入物質は流体である。
【００３２】
一部の実施形態では、物質の導入はユーザの組織に損傷を与えず、たとえば一部の実施形態では、物質の量および／または圧力は、尿道および／または膀胱に損傷を引き起こす物質の量および／圧力を下回るものである。たとえば、導入物質の量は、膀胱を異常に膨張させ、および／または破損する物質の量を下回るものである。たとえば、導入物質の圧力は、尿道組織を異常に膨張させ、および／または破損する圧力を下回るものである。
【００３３】
一部の実施形態では、導入物質は、ガス、たとえば不活性ガス（たとえばアルゴン）である。一部の実施形態では、物質は、液体および圧縮可能な要素の混合（たとえば、粒子が圧縮可能である粒子懸濁液）である。一部の実施形態では、物質は、気泡および液体の混合物である。
【００３４】
一部の実施形態では、導入物質の圧縮性は、尿より高い。
【００３５】
一部の実施形態では、導入物質は薬剤を含む。
【００３６】
一部の実施形態では、導入物質は、結果として膀胱内部により高い圧縮性の物質を生じさせ、たとえば、一部の実施形態では、導入物質は、尿道に（たとえば膀胱内に）挿入された後、化学的または物理的変化（たとえば尿との化学的反応、導入物質内に溶解したガスの分離）を受け、その結果膀胱内にクッション物質を生じさせる。
【００３７】
任意選択で、一部の実施形態では、膀胱内に導入された物質は、膀胱内で尿と混合し、その圧縮性を増大させる。
【００３８】
一部の実施形態では、治療は、ユーザが物質を自身の尿道に導入することを開始する自己治療または個人的使用のものである。
【００３９】
一部の実施形態では、治療は、たとえば、１日に２回以上、１日に数回、ユーザが排尿するたびに反復される。
【００４０】
一部の実施形態では、各治療の投与物質の量は、均一である。一部の実施形態では、投与物質の量は、個人別に調整される。一部の実施形態では、ユーザは（たとえばユーザ・インターフェースによって）投与物質の量を、任意選択で治療ごとに定義する。一部の実施形態では、デバイスは、たとえば損傷を与える量の物質をいくつかの治療にわたって導入することを防止するために、期間中に最大量までの物質を投与する。
【００４１】
本発明の一部の実施形態の態様は、物質を尿道内に導入するためのデバイスであって、それによって物質がその後膀胱内に進行する、デバイスに関する。
【００４２】
例示的な実施形態では、デバイスは、ノズルを含み、このノズルを通して物質を尿道内に導入する。一部の実施形態では、ノズルの少なくとも一部分が、尿道内に挿入される。任意選択で、ノズルの先端部は、丸みがありおよび／または軟質のものであり、それにより、先端部の挿入は、生殖器組織に損傷を与えないものである。たとえば、挿入中および／またはノズルの挿入を達成するのに必要とされる圧力において、ノズル先端部は、生殖器組織を切断せず、および／または傷つけない。
【００４３】
一部の実施形態では、丸みのあるノズル先端部は、０．０１〜３ｍｍ、もしくは０．０５〜１ｍｍ、もしくは０．１〜１ｍｍ、もしくは０．０１ｍｍより大きい、もしくは０．１ｍｍより大きい、もしくは０．５ｍｍより大きい、またはこれらより小さい、もしくは大きい、もしくは中間の範囲または値の曲率半径を有する縁を含む。
【００４４】
一部の実施形態では、デバイス・ノズルは、ノズル内部に配設された反転セクションを含む。物質の投与中、このセクションの反転は（たとえばここを通る投与物質の圧力によって）戻る。潜在的な利点は、たとえば、ノズル先端部上の、たとえば尿道からの汚染物質（たとえば細菌）が、物質と共に膀胱におよび／またはさらには尿道に導入されないということである。一部の実施形態では、反転セクションは、巻き込みによってその反転を戻す。任意選択で、投与中、反転セクションは突起して、ノズルの大きさ（たとえば長さ）を増大させる。
【００４５】
一部の実施形態では、デバイスは、たとえば、デバイスをユーザの組織に対してシールするための１つまたは複数の部分および／または要素を含み、これにより、デバイスからの投与物質は尿道に入り、かつ／または尿道内の物質は体から逸出しない。一部の実施形態では、ユーザの組織に対するノズルのシールは、導入物質の圧力に耐えるのに十分なものである。
【００４６】
例示的な実施形態では、デバイスの一部分は、尿道内に挿入されず、たとえば、一部の実施形態では、ノズルは尿道開口部を覆って置かれる。一部の実施形態では、尿道開口部を覆って置かれたノズルは、尿道周りの生殖器組織に対してシールを形成し、このシールは、導入物質の圧力に耐えるのに十分なものである。一部の実施形態では、先端部は丸みがありおよび／または軟質のものであり、それにより、ユーザ組織と共にシールを生成するのに十分な圧力において、ノズルは、ユーザの生殖器組織を切断せずおよび／または損傷を与えない。
【００４７】
任意選択で、一部の実施形態では、デバイスは、圧力下で導入される物質を、たとえばキャニスタ、たとえばガス・キャニスタ内に貯蔵する。代替的にまたは追加的に、一部の実施形態では、デバイスは、導入される物質を、たとえば尿道内への導入に先立って加圧し、たとえば、デバイスは、物質を加圧するためのポンプを含む。
【００４８】
一部の実施形態では、デバイスは、物質の投与をユーザが開始するユーザ・インターフェースを含む。
【００４９】
任意選択で、一部の実施形態では、デバイスは、ノズルをユーザの尿道に位置決めするのを助けるための１つまたは複数の位置決め要素を含む。
【００５０】
一部の実施形態では、位置決め要素は、デバイスに任意選択で取り付けられた機械的要素であり、体部分上および／または体部分内に（たとえば膣内、肛門内、脚部上に）置かれ、位置決め要素を置くことで、ノズルと尿道開口部および／または尿道は位置合わせされる。
【００５１】
一部の実施形態では、位置決め要素は、（たとえばデバイスの位置決めを案内するための）手がかり、たとえば視覚的および／または聴覚的手がかりを与える。一部の実施形態では、視覚的要素（たとえば鏡、カメラ）は、治療に関するユーザ・フィードバックを与える。たとえば、一部の実施形態では、ユーザは、視覚的手がかり（たとえば、尿道からのある量の物質および／または尿の逸出）が見えるまで物質を挿入する。
【００５２】
一部の実施形態では、位置決め要素は、たとえば（たとえばマーカに対する、ユーザ尿道に対する）ノズルの位置に関する測定値を与える、１つまたは複数のセンサ、たとえば位置センサを含む。
【００５３】
一部の実施形態では、１つまたは複数の位置決め要素は、（たとえば自己治療中）デバイスの位置決めにおいてユーザを助けるための１つまたは複数の視覚的要素、たとえば鏡および／またはカメラを含む。一部の実施形態では、視覚的要素は、ユーザの解剖学的構造、たとえば尿道開口部に対するデバイスの１つまたは複数の部分の場所に関して視覚的手がかりをユーザに与える。
【００５４】
一部の実施形態では、デバイスは、自己治療するユーザが、任意選択で片手でデバイスを保持しおよび／または位置決めすることができるような寸法および重量のものである。
【００５５】
一部の実施形態では、デバイスの１つまたは複数の部分は、個人別に調整され、たとえば、個々の解剖学的構造に適合するように成形される。一部の実施形態では、位置決め要素は、個人別に調整され、たとえばデバイスの一部分は、たとえばユーザの体の一部上におよび／または一部内に置かれたとき、デバイスと尿道開口部を位置合わせする。
【００５６】
本発明の一部の実施形態の態様は、薬剤を尿道および／または膀胱内に導入するための方法およびデバイスに関する。
【００５７】
一部の実施形態では、導入物質は、薬剤、たとえば膀胱がんのための化学的療法薬剤、たとえば頻発性尿路感染症（ＵＴＩ）のための抗生物質、たとえば過活動膀胱の局所的治療のための薬剤を含む。
【００５８】
本発明の少なくとも１つの実施形態を詳細に説明する前に、本発明は、その適用において、以下の説明に記載される、および／または図および／または例に示される構成要素および／または方法の構造および配置の詳細に必ずしも限定されないことを理解されたい。本発明は、他の実施形態が可能であり、さまざまな方法で実施し、行うことができる。
【００５９】
本発明の少なくとも１つの実施形態を詳細に説明する前に、本発明は、その適用において、以下の説明によって記載し、または例によって例示する詳細に必ずしも限定されないことを理解されたい。本発明は、他の実施形態が可能であり、さまざまな方法で実施し、行うことができる。
【００６０】
膀胱の機械的特性の変化
通常、緊張性尿失禁（ＳＵＩ）は、泌尿器括約筋によって閉じて保持される、尿道の機械的抵抗が低減することに関連付けられる。尿道の機械的抵抗が、閉鎖に対する尿圧力より低い場合、尿は尿道を通って漏れる。腹部内圧力波、「衝撃」、たとえば（たとえば咳き込む、くしゃみをする、笑うときに）隔膜から発生するものが、この波が通過するにつれて膀胱内部の圧力を増大させる。衝撃または腹部内圧力波が膀胱内部の圧力をｐｕｒａ以上に上昇させた場合、尿は尿道を通って漏れる。
【００６１】
個人の尿道の機械的特性は、時間と共に、たとえば尿道のねじれを変動させる可能性があり、この場合（たとえば腹部内圧力波の発生時）内部組織の運動は、尿道に閉鎖圧力を及ぼし、ｐｕｒａを一時的に上昇させることがある。ＳＵＩはまた、腹腔空洞内の尿道の位置の変化に関連付けられ、この変化は、たとえば、骨盤底筋が脆弱化し、その結果尿道のねじれを低減させることによるものである。
【００６２】
一部の実施形態では、膀胱内に導入された物質は、腹部内圧力波または衝撃に対する膀胱の内部圧力応答を「減衰する」または「分散させる」。
【００６３】
図１は、膀胱１００の簡単な概略断面図である。膀胱１００は、尿１０２を保持し、尿道１０４は、括約筋１０６によって閉じて保持される。図２は、本発明の一部の実施形態による、膀胱２００の簡単な概略断面図である。膀胱２００は、尿２０２より高い圧縮性の流体または物質２０８を含む。
【００６４】
図３は、本発明の一部の実施形態による、時間に伴う、腹部内圧力波に応答する膀胱圧力（膀胱衝撃圧力応答）の簡単なグラフである。図３では、実線は、図１に示す膀胱の膀胱圧力を示し、点線は、尿より高い圧縮性の物質の少なくとも一部分を含む膀胱、たとえば図２に示す膀胱２００の膀胱圧力を示す。
【００６５】
一部の実施形態では、衝撃時、膀胱内のピーク膀胱圧力は低減され、ｐ２はｐ１より低い。一部の実施形態では、衝撃時、膀胱内のピーク膀胱圧力は遅延され、ｔ２はｔ１より遅延する。一部の実施形態では、膀胱圧力応答の「分散」または「減衰」は、ピーク膀胱圧力の低減および／またはピーク膀胱圧力の遅延に対応する。
【００６６】
例示的な方法
図４は、本発明の一部の実施形態による、緊張性尿失禁の治療の方法の流れ図である。図４は、尿より高い圧縮性の物質を膀胱内に置く例示的な方法を説明し、この一部の態様および潜在的利点は、たとえば上記に説明されている。
【００６７】
４００において、デバイスの少なくとも一部分を尿道開口部に置くことで治療が開始する。４０２において、物質が、（たとえばユーザの装置起動後に）圧力下でデバイスから尿道内に投与される。４０４において、尿道内に導入された物質は膀胱に入る。
【００６８】
物質の例示的な量
一部の実施形態では、治療は、用量の物質を１回だけ尿道に挿入することを含む。一部の実施形態では、（たとえば、１０分未満の時間の間）各治療は、物質を個々に離散的に導入することを含む。たとえば、一部の実施形態では、治療中、２用量以上の物質が、任意選択で投与間での一時停止（たとえば、最大１秒まで、５秒まで、１分を上回る一時停止）を伴って尿道内に導入される。一部の実施形態では、複数の投与を含む治療中、尿道は投与と投与との間で閉じる。
【００６９】
一部の実施形態では、治療において、４０ｃｃの物質が導入される。一部の実施形態では、治療において、５０ｃｃの物質が導入される。一部の実施形態では、治療において、２０ｃｃ〜６０ｃｃの物質が導入される。一部の実施形態では、膀胱に外傷を引き起こさない物質の量（たとえば、５００ｃｃ未満、４００ｃｃ未満、２００ｃｃ未満、１００ｃｃ未満、５０ｃｃ未満）が、治療において導入される。
【００７０】
一部の実施形態では、導入物質の体積は、膀胱内部の導入物質の体積を指し、この場合、物質は内部膀胱圧力下にある。一部の実施形態では、導入物質の体積は、大気圧下の導入物質の体積を指す。
【００７１】
一部の実施形態では、治療に導入される物質の量は、たとえばユーザの膀胱容量（たとえば、尿失禁が起こるときの膀胱が含む尿の体積）を測定することによって規定され、導入物質の量は、膀胱容量の５０％未満、３０％未満、２０％未満、１０％未満である。
【００７２】
一部の実施形態では、ユーザは、任意選択で、ユーザがデバイスを使用するたびに導入物質の量を調整し、たとえば一部の実施形態では、ユーザは、尿意切迫を感じるまで物質を導入する。
【００７３】
一部の実施形態では、たとえば、ユーザおよび／または医療関係者／技術者が、（たとえば、各々の個人的治療の前、治療中、装置の較正時に）導入される物質の量を規定する。
【００７４】
例示的な治療
一部の実施形態では、治療は、たとえば、１日に数回（たとえばユーザが排尿するたびに）反復される。
【００７５】
任意選択で、ユーザは、治療前に排尿する。代替的には、一部の実施形態では、治療は、満杯の膀胱に関するものであり、ユーザは、任意選択で、治療後に排尿する。
【００７６】
一部の実施形態では、物質の導入は尿を変位させ、たとえば、物質が導入されるとき、または物質が導入された後、尿は、尿道を通って膀胱から逸出する。一部の実施形態では、膀胱は、物質によって実質的に充填されて膀胱の尿を実質的に空にする。潜在的な利点は、たとえば排尿が困難であるおよび／または膀胱を十分に空にするのが困難であるユーザに対する治療として、膀胱を空にできることである。
【００７７】
一部の個人、たとえば前立腺肥大を有する男性は、排尿によって膀胱を完全に空にすることはできない。こうした個人は、排尿によって膀胱を完全に空にすることを試みた後でも、膀胱容量はゼロではない。膀胱内に残る尿の残留体積は、本明細書では膀胱「死容積」と呼ばれる。
【００７８】
一部の実施形態では、膀胱死容積は、０．５〜３００ｃｃ、または１〜１００ｃｃ、または２〜５０ｃｃである。一部の実施形態では、導入物質が膀胱内に入ると、ユーザは排尿し、膀胱を死容積に戻す。次いで、一部の実施形態では、残留死容積の少なくとも一部は、クッション物質によって充填される（尿は、死容積内でクッション物質に置き換えられている）。潜在的な利点は、死容積の悪影響（たとえば感染）を低減することであり、別の潜在的利点は、たとえば、クッション物質が圧縮可能であるため、ユーザの体の重量が、膀胱を、死容積がより小さくなる（および／または実質的にゼロになる）ようにつぶすように作用し得ることである。
【００７９】
例示的な圧力
一部の実施形態では、物質は、尿道の入口に挿入される。一部の実施形態では、物質の加圧挿入により、尿道が開く。一部の実施形態では、挿入物質の圧力は、ｐｕｒａより高く、それにより、物質は尿道を開きおよび／または尿道を通って膀胱まで進行する。一部の実施形態では、尿道は、（たとえば、細い棒、チューブ、カテーテルの挿入によって）部分的にまたは完全に機械的に開かれる。
【００８０】
通常、ＳＵＩを有する女性のｐｕｒａは、約４０：６０ｃｍＨ２Ｏである。一部の実施形態では、物質は、４０：６０ｃｍＨ２Ｏを上回る圧力で尿道内に挿入される。一部の実施形態では、物質は、１００ｃｍＨ２Ｏ以上の圧力で尿道に挿入される。一部の実施形態では、尿道は、少なくとも部分的に機械的に開かれ、物質は、最大７０ｃｍＨ２Ｏの圧力で尿道に導入される。
【００８１】
一部の実施形態では、前記圧縮物質の圧力は、たとえば尿道および／または膀胱に損傷を引き起こす圧力より小さい。一部の実施形態では、圧縮物質の圧力は、６００ｃｍＨ２０未満、または３００ｃｍＨ２０未満、または２００ｃｍＨ２０未満、または１００ｃｍＨ２０未満である。
【００８２】
例示的な物質のタイプ
一部の実施形態では、導入物質は、ガス、たとえば空気である。一部の実施形態では、導入物質は不活性である。一部の実施形態では、導入物質は、不活性ガス、たとえばアルゴン、窒素、ヘリウムである。一部の実施形態では、導入される物質は、溶存ガスを有する液体、たとえば、炭酸水である。一部の実施形態では、導入される物質は、気泡および液体の混合物、たとえば、水および空気泡の混合物、炭酸水である。
【００８３】
一部の実施形態では、導入される物質は、液体および圧縮可能な要素の混合物、たとえば液体および封入ガス粒子の懸濁液である。一部の実施形態では、圧縮可能な要素は十分小さく、および／または混合物の粘性は十分小さく、それにより、混合物は、開かれた尿道（たとえば、０．５ｍｍ以下、１ｍｍ以下、２ｍｍ以下の最少断面寸法を有するチャネル）を流れ抜ける。
【００８４】
一部の実施形態では、導入物質は、薬剤、たとえば膀胱がんのための化学的療法薬剤、たとえば頻発性尿路感染症（ＵＴＩ）のための抗生物質、たとえば過活動膀胱の局所的治療のための薬剤を含む。
【００８５】
例示的な自己治療
一部の実施形態では、治療は、ユーザが物質を自身の尿道に導入することを開始する自己治療または個人的使用のものである。
【００８６】
一部の実施形態では、尿道への物質の送達（たとえば自己治療）は、ユーザ（または患者）が、（たとえば、物質の導入に関連する尿漏れを容易に排泄するように）たとえばトイレに着座しているときに行われる。一部の実施形態では、尿道への物質の送達（たとえば自己治療）は、ユーザが、たとえば仰向けに（たとえばベッドに）横たわっているときに行われる。一部の実施形態では、尿道への物質の送達（たとえば自己治療）は、ユーザが、任意選択で膝を広げおよび／または高い位置にしてもたれかかっているときに行われる。
【００８７】
一部の実施形態では、自己治療をするユーザは、デバイスを一方の手で保持し、ユーザの解剖学的構造を他方の手で保持する。一部の実施形態では、デバイスの位置決めは、デバイスおよび／またはユーザの解剖学的構造を動かすことによって行う。たとえば、一部の実施形態では、男性ユーザは自身の陰茎を一方の手で保持し、デバイスを他方の手で保持し、デバイスの位置決めは、デバイスおよび／または陰茎を動かすことによって行われる。たとえば、一部の実施形態では、女性ユーザは、デバイスを片手で保持し、たとえば、陰唇を他方の手で開いて保持する。任意選択で、一部の実施形態では、デバイスが位置決めされた後、ユーザはデバイスを両手で保持する。代替的には、一部の実施形態では、自己治療するユーザは、位置決め中および／または位置決め後にデバイスを両手で保持する。
【００８８】
満杯膀胱の例示的な治療
一部の実施形態では、物質は、膀胱が実質的に満杯であるとき、たとえばユーザが尿意切迫を感じるとき、および／または膀胱容量が１００ｃｃを上回るときに尿道に導入される。図１１は、本発明の一部の実施形態による、膀胱が満杯である男性の簡単な断面図、およびデバイス１１１０の簡単な側面図である。ノズル１１１２の一部分が、男性の尿道１１０４に挿入される。
【００８９】
図１２は、本発明の一部の実施形態による、治療を受けている、膀胱が満杯である男性の簡単な断面図である。デバイス１２１０のノズル１２１２は、加圧物質１２１４を尿道１２０４に導入している。導入物質１２１４は、尿道１２０４を膀胱１２００からノズル１２１２の間で開いており、導入物質１２１４は、膀胱１２００に入っている。膀胱１２００は、尿１２０２で満杯である。
【００９０】
一部の実施形態では、物質は、本明細書では「追加物質」と呼ばれるクッション物質がすでに膀胱内にあるときに尿道内に導入される。図１３Ａは、本発明の一部の実施形態による、クッション物質１３０８が膀胱１３００内にある男性の断面図、および追加物質１３１４を尿道１３０４内に導入しているデバイス１３１０の一部分の側面図を示す。
【００９１】
たとえば、一部の実施形態では、ユーザは、前に挿入された、クッション物質を形成する物質がユーザから出る前に追加物質を挿入し、たとえば、追加物質は、前の挿入から一定の時間がたった後（たとえば数分、数時間後に）挿入される。
【００９２】
例示的な実施形態−挿入されたノズル
任意選択で、一部の実施形態では、デバイスの少なくとも一部分が尿道に挿入され、たとえば、それによって尿道の少なくとも一セクションを機械的に開く。図５は、本発明の一部の実施形態による、デバイス５１０の簡単な概略側面図、およびデバイスの一部分が女性の尿道５０４に挿入された女性の断面図である。
【００９３】
一部の実施形態では、ノズルは、たとえば一部の実施形態では、ノズルを尿道内に円滑に挿入し、たとえば一部の実施形態では、デバイスをユーザ組織に対してシールするのを助けるために、使用前に（たとえば水、Ｋ−Ｙゼリー（登録商標）、Ｓｕｒｇｉｌｕｂｅ（登録商標）を使用して）潤滑される。
【００９４】
一部の実施形態では、デバイス５１０は、尿道５０４に少なくとも一部が挿入されたノズル５１２を含む。一部の実施形態では、ノズル５１２は細長いものである。一部の実施形態では、ノズル５１２は、２０ｍｍ〜３０ｍｍまたは１０ｍｍ〜５０ｍｍ、または２０ｍｍ未満または５０ｍｍを上回って尿道５０４に挿入される。一部の実施形態では、ノズルは、尿道５０４を通って挿入され、膀胱５００に到達する。
【００９５】
一部の実施形態では、ノズル５１２の挿入によって尿道を機械的に開くことにより、（たとえば一時的に）ｐｕｒａが低減される。一部の実施形態では、たとえばノズルが尿道に挿入されたときの導入物質の圧力は、７０ｃｍＨ２Ｏ以上である。
【００９６】
図６Ａは、本発明の一部の実施形態による、女性の断面図、および物質６１４を女性の尿道６０４内に導入するデバイス６１０の一部分の簡単な概略側面図である。明確にするために、導入物質６１４は、気泡を含む流体として示される。一部の実施形態では、物質６１４は、ノズル６１２が尿道６０４の内部に位置決めされたときにノズル６１２を通って導入される。一部の実施形態では、導入物質の圧力が尿道を開き、たとえば図６Ａでは、尿道は、ノズル６１２の挿入によって部分的に開かれ、導入物質６１４の圧力によって部分的に開かれている。
【００９７】
一部の実施形態では、尿道６０４内に導入された物質６１４の少なくとも一部分は、尿道６０４に沿って進行し、膀胱６０２に入る。図６Ｂは、本発明の一部の実施形態による、女性の断面図、および物質を女性の尿道６０４内に導入するデバイス６１０の一部分の簡単な概略側面図である。図６Ｂでは、尿道６０４は、膀胱まで開かれており、導入物質６１４は膀胱に入っている。
【００９８】
図７は、本発明の一部の実施形態による、クッション物質７０８が膀胱７００内にある、治療された女性の簡単な概略断面図である。一部の実施形態では、物質の導入が停止したとき、括約筋は、尿道７０４の少なくとも一部分を閉じまたはつぶして、たとえば膀胱内のクッション物質および／または尿道内に導入された物質が逸出するのを防止する。
【００９９】
一部の実施形態では、クッション物質７０８は、尿より低密度であり、膀胱内で重力によって動き、たとえば尿道開口部から膀胱７０５まで上昇する（たとえば、女性が横たわっている場合、導入物質は、尿道膀胱開口部７０５から図７に示すクッション物質７０８位置まで上昇する）。一部の実施形態では、クッション物質７０８は、膀胱７００の容量を増大させ、および／または膀胱７００の形状を変化させ、これは、図６Ｂから図７の膀胱形状の変化で示される。
【０１００】
図８は、本発明の一部の実施形態による、男性の断面図、およびデバイスの一部分が男性の尿道８０４に挿入された、デバイス８１０の簡単な概略側面図である。
【０１０１】
図９は、本発明の一部の実施形態による、男性の断面図、および物質９１４を男性の尿道９０４に導入するデバイス９１０の一部分の簡単な概略側面図である。明確にするために、導入物質９１４は、気泡を含む流体として示される。一部の実施形態では、物質９１４は、ノズル９１２が尿道９０４の内部に位置決めされたときにノズル９１２を通って導入される。一部の実施形態では、導入物質の圧力が尿道を開き、図９では、尿道は、ノズル９１２の挿入によって部分的に開かれ、導入物質９１４の圧力によって部分的に開かれている。一部の実施形態では、尿道９０４内に導入された物質６１４の少なくとも一部分は、尿道９０４に沿って進行し、膀胱９００に入る。
【０１０２】
図１０は、本発明の一部の実施形態による、デバイス１０１２の一部分の簡単な概略側面図、および物質の導入後の男性の体の断面図である。尿道１００４を通って導入された物質は、膀胱１０００の内部にあり、クッション物質１００８を形成する。一部の実施形態では、クッション物質１００８は、尿１００２より低密度であり、膀胱１０００内で重力によって動き、たとえば尿道開口部から膀胱１００５内に上昇する（たとえば男性が直立している場合、尿道膀胱開口部１００５から図７に示されるクッション物質１００８位置まで上昇する）。一部の実施形態では、クッション物質１００８は、膀胱１０００の容量を増大させ、および／または形状を変化させ、これは、図９から図１０の膀胱の変化で示される。
【０１０３】
例示的なシール−挿入されたノズル
一部の実施形態では、尿道の肉組織は、ノズルの一部に対しておよび／またはその周りをシールし、このシールは、潜在的には、導入物質が尿道開口部を通って逸出することを防止または低減する。一部の実施形態では、ノズルの一部は、尿道とノズルの間にシールをもたらすようにおよび／またはシールを強化するように成形されおよび／またはサイズ設定される。
【０１０４】
図１３Ａを参照すれば、一部の実施形態では、ノズル１３１２は、より大きい断面積１３１３の一部分を含む。一部の実施形態では、より大きい断面積のノズル部分は、ノズル先端部１３１３にある。代替的にまたは追加的に、一部の実施形態では、より大きい断面積の一部分は、ノズル１３１２の長さに沿った地点に配設される（たとえば、ノズル１３１２の一部が尿道１３０４に挿入されたとき、より大きい断面積部分が尿道開口部を塞ぐように、たとえばより大きい断面積部分が、ノズル先端部から最大０．５ｃｍのところに、ノズル先端部から０．５〜１ｃｍのところに、またはノズル先端部から１ｃｍを超えるところにあるように配設される）。
【０１０５】
一部の実施形態では、シールは、挿入されたノズルの一部上の尿道をより強く加圧することによって形成される。図１３Ｂは、本発明の一部の実施形態による、女性の尿道内部にシーリング部分１３２０を含むノズルの簡単な断面図である。シーリング部分１３２０上の力Ａは、ノズル１３１２上の力Ｂより大きい。一部の実施形態では、シーリング部分１３２０は、ノズル１３１２ａの本体より大きい断面積を含む。たとえば、一部の実施形態では、シーリング部分１３２０は、図１３Ｂに示すように丸みのある形状を含む。
【０１０６】
例示的な実施形態−尿道を覆って置かれたノズル
一部の実施形態では、デバイス・ノズルは、尿道を覆って置かれる。図１７Ａは、本発明の一部の実施形態による、デバイス１７１０の簡単な概略側面図である。図１７Ｂは、本発明の一部の実施形態による、デバイス１７１０の簡単な概略断面図である。一部の実施形態では、デバイス１７１０は、デバイス本体１７１１およびノズル１７２４を含む。
【０１０７】
例示的なシール−尿道を覆って置かれたノズル
一部の実施形態では、ノズルの一部は、ユーザの外側の肉組織／皮膚に対してシールする。一部の実施形態では、ユーザがデバイス上に圧力を及ぼすことで、ノズルをユーザの肉組織（たとえば尿道を取り囲む肉組織）に対してシールする。一部の実施形態では、ノズル１７１２は、ノズルの出口１７２２で尿道を覆って、尿道開口部のところでユーザの皮膚に押しつけられる。一部の実施形態では、ノズルは、ユーザの肉組織を切断または損傷することなくユーザ尿道の周りの肉組織と共にシールを形成するように十分軟質でありおよび／または丸みのあるものである。
【０１０８】
一部の実施形態では、ノズルは、デバイスをユーザ組織に対してシールするのを助けるために、たとえば使用前に（たとえば、水、Ｋ−Ｙゼリー（登録商標）、Ｓｕｒｇｉｌｕｂｅ（登録商標）を使用して）潤滑および／またはコーティングされる。
【０１０９】
一部の実施形態では、たとえば、物質の導入時、ノズル１７２６の内部の物質の圧力は、尿道を尿道開口部から尿道を開くのに、および／またはデバイス１７１０からの物質が尿道に入るのに十分に高いものである。
【０１１０】
一部の実施形態では、ノズル出口は、ノズルの突起部分上に配置される。たとえば、一部の実施形態では、ノズルは、（たとえば、図１７Ｂに示すように）円錐形の頂点に出口１７２２を備えた突起する円錐形状１７２４を含む。一部の実施形態では、突起出口１７２２は、尿道開口部に出口１７２２を接触させること、および／またはノズル１７２４と尿道周りのユーザの肉組織との間にシールを形成するのを助ける。
【０１１１】
図１８は、本発明の一部の実施形態による、デバイス１８１０の簡単な概略側面図、およびノズルが物質を女性の尿道１８０４内に導入している女性の断面図である。
【０１１２】
図１９は、本発明の一部の実施形態による、デバイス１９１０の簡単な概略側面図、およびノズルが物質を男性の尿道１９０４内に導入している男性の断面図である。
【０１１３】
一部の実施形態では、ノズルは、たとえば、図１９に示すようにユーザの肉組織に対して２つ以上のシールを形成し、第１の外側シールは、ノズル外側部分１９１２を尿道周りの外側輪郭に押しつけて形成され、第２のシールは、ノズル内側部分１９２４を尿道周りの内側輪郭に押しつけて形成される。一部の実施形態では、外側シールは、ノズルをユーザの肉組織に固定し、内側シールは、物質が逸出するのを防ぐ。
【０１１４】
一部の実施形態では、ノズルは、前記尿道および尿道周りのユーザの肉組織と共にシールを形成する。一部の実施形態では、ノズルの一部分は、前記尿道に挿入され（任意選択で、尿道と共にシールを形成せず、たとえば、ノズルは、断面が尿道よりかなり小さいものである）、ノズルは、尿道周りのユーザの肉組織とシールを形成する。
【０１１５】
一部の実施形態では、ノズルは、たとえば、ユーザの肉組織に対してシールをもたらす凹状部分１９２４を含む。
【０１１６】
一部の実施形態では、ノズルは、ユーザの尿道の適所にあるとき、形状を変形または変更する。たとえば、一部の実施形態では、円錐形状のノズル部分（たとえば、ノズル部分１７２４は、図１７Ｂに示すように円錐形状のものである）は、デバイスが投与のためにユーザの尿道に適所に置かれたときに反転される。
【０１１７】
一部の実施形態では、ノズル出口は、ユーザの尿道より断面が大きい（たとえば、図１８のノズル出口１８２２）。
【０１１８】
例示的なデバイス−挿入されたノズル
図２１Ａは、本発明の一部の実施形態による、デバイス２１１０の側面図の簡単な概略図である。図２１Ｂは、本発明の一部の実施形態による、デバイスの上面図の簡単な概略図である。図２１Ｃは、本発明の一部の実施形態による、デバイスの底面図の簡単な概略図である。図２１Ｄは、本発明の一部の実施形態による、デバイスの前面図の簡単な概略図である。
【０１１９】
例示的な携帯デバイス
一部の実施形態では、ＳＵＩの治療のためのデバイスは、携帯式であるようにサイズ設定される。
【０１２０】
一部の実施形態では、デバイスは、ユーザが快適にデバイスを保持することができ、および／またはデバイス・ノズルをユーザ尿道に導くことができるように寸法設定され（たとえばデバイス長さ、最大のデバイスの大きさ）、および／またはそれに適した重量である。
【０１２１】
一部の実施形態では、デバイスの最大の大きさ（デバイスの最大寸法）は、最大３０ｃｍ、または最大２５ｃｍ、または最大１５ｃｍ、または最大１０ｃｍである。一部の実施形態では、デバイスは、約１〜４０ｃｍの長さ、または５〜２５ｃｍの長さ、または７〜２０ｃｍの長さである。一部の実施形態では、デバイス本体は、０．５〜２０ｃｍの幅、または１〜１５ｃｍの幅、または３〜１０ｃｍの幅である。一部の実施形態では、デバイス本体は、０．５〜２０ｃｍの深さ、または１〜１５ｃｍの深さ、または３〜１０ｃｍの深さである。一部の実施形態では、デバイス本体は、ほぼ円筒状であり、０．５〜２０ｃｍの直径、または１〜１５ｃｍの直径、または３〜１０ｃｍの直径である。
【０１２２】
一部の実施形態では、デバイス・ノズルは、調整可能な長さを有し、たとえば、デバイス・ノズルは、伸縮自在であり、たとえばデバイス・ノズルは、デバイス本体に螺合しおよび／またはデバイス本体から螺退する。
【０１２３】
一部の実施形態では、デバイスの重量は、５００ｇ未満、または３００ｇ未満、または１００ｇ未満、または５０ｇ未満、または２０ｇ未満である。
【０１２４】
代替的にまたは追加的に、一部の実施形態では、デバイスの一部分は携帯式であり、たとえば一部の実施形態では、デバイス・ノズルは、携帯式になるようにサイズ設定される。
【０１２５】
一部の実施形態では、デバイス２１１０は、たとえば、ユーザがデバイスを把持するのを助けるために、たとえば、デバイス２１１０を正しく手で保持する指標を与えるための１つまたは複数のグリップ要素２１３６を含む。
【０１２６】
一部の実施形態では、グリップ要素２１３６は、デバイスの一部分上に配設され、それにより、グリップ要素がユーザの指および／または手のひらと接触するようにユーザがデバイスを把持したとき、デバイスは、ノズルを挿入するように配向される。たとえば、グリップ要素２１３６をユーザの指および／または手のひらと接触させてデバイス２０１０を把持するユーザは、位置決め要素２１２８（以下でより詳細に説明する位置決め要素）の上面（たとえば鏡）を上方向に向けてデバイス２０１０を保持する。
【０１２７】
一部の実施形態では、グリップ要素２１３６は、デバイス２１１０がユーザの把持から滑ることを防止するために、たとえば、１つまたは複数の滑らないおよび／または凹凸のある表面部分（たとえばゴム）を含む。一部の実施形態では、グリップ要素２１３６は、１つまたは複数のゴムパッド２１３８を含む。
【０１２８】
例示的な正しい挿入、位置決め
【０１２９】
例示的な機械的位置決め要素
一部の実施形態では、ユーザは、デバイスをユーザの尿道の上および／またはその中に位置決めする。
【０１３０】
一部の実施形態では、デバイスは、ノズルを尿道開口部と位置合わせするのを助けるために、ユーザの体の一部上および／またはその中（たとえば膣内、肛門内、または脚部上）に置かれる位置決め要素を含む。次に図６Ａに戻れば、デバイス６１０は、位置決め要素６２８を含む。
【０１３１】
一部の実施形態では、ノズル６１２の尿道への挿入中、位置決め要素６２８を膣に向かって案内することで、ノズル先端部を尿道開口部の近傍および／または尿道開口部に位置決めするのを助ける。一部の実施形態では、ノズル６１２が尿道６０４の内部の適所にあるとき、位置決め要素６２８は、膣の内部および／またはその入口に止まる。
【０１３２】
一部の実施形態では、位置決め要素６２８は、たとえば、ノズル６１２の尿道への挿入中、位置決め要素６２８を膣内に案内することで、ノズル６１２を尿道に挿入するのを助けるように角度付けされる（たとえば、ノズルの移動の角度は、尿道の角度に位置合わせされる）。
【０１３３】
例示的な手かがり位置決め要素
一部の実施形態では、１つまたは複数の位置決め要素は、デバイスを位置決めするための視覚的および／または可聴式の手がかりを与える。
【０１３４】
一部の実施形態では、１つまたは複数の位置決め要素は、標的位置からのノズルの距離（たとえば、ノズル先端部と尿道開口部との間の距離）のインジケータを含む。
【０１３５】
一部の実施形態では、１つまたは複数の位置決め要素は、たとえば、ノズルと尿道開口部との間の距離に関して、視覚的手がかりを与える視覚的要素（たとえば鏡および／またはカメラ）を含む。
【０１３６】
図２０Ａは、本発明の一部の実施形態による、位置決め要素２０２８を含むデバイス２０１０の側面図およびユーザの断面図の簡単な概略図である。一部の実施形態では、位置決め要素２０２８は、反射表面（たとえば鏡）を含む。たとえば、図２０Ａでは、鏡位置決めデバイス２０２８およびノズル２０１２は、ノズル２０１２が尿道開口部２０３０の方に全体的に（たとえば、尿道開口部の１ｃｍ以内を指して）導かれたとき、位置決めデバイス２０２８は、ユーザ２０３４に、尿道開口部２０３０に関するノズル２０１２の位置を示すように角度付けされる。
【０１３７】
次に図２１Ａを参照すると、一部の実施形態では、（たとえばデバイス本体２１１１に対する）位置決め要素２１２８は、たとえばユーザによって調整可能であり、それにより、ユーザは、位置決め要素をユーザの解剖学的構造に合わせて調整することができ、および／またはユーザは、ノズルおよび／または尿道開口部を鏡で見ることができるように視覚的位置決め要素（たとえば鏡）を調整することができる。一部の実施形態では、位置決め要素２１２８は、ユーザが位置決め要素を枢動させ、および／または動かすのを助ける引っ張りグリップ２１４８（たとえば、１つまたは複数のゴム・グリップ）を含む。
【０１３８】
任意選択で、一部の実施形態では、デバイスは、デバイスが適所にあること、たとえば、十分な深さで尿道内に挿入されたことを確認する１つまたは複数の要素を含む。一部の実施形態では、ノズルが尿道に挿入される深さは、たとえば、センサによって測定される。一部の実施形態では、たとえばノズル深さに関するフィードバックが、ユーザに（たとえばユーザ・インターフェースによって）与えられる。一部の実施形態では、物質の投与は、ノズルが尿道内に十分挿入されたことを確認したときにのみ行われる。たとえば、自動式制御装置は、（たとえばセンサから）確認を受け取ったときにのみ物質を投与する。
【０１３９】
一部の実施形態では、ノズルは、たとえば、正しく挿入するようにユーザを案内するための１つまたは複数のマーキングを含み、ユーザは、マーキングが概ね尿道開口部にあるようにノズルを挿入する。
【０１４０】
任意選択で、一部の実施形態では、デバイスは、導入物質および／または十分な割合の導入物質が、泌尿器系内に残り、および／または膀胱に入ることを確認する１つまたは複数の要素を含む。一部の実施形態では、デバイスは、任意選択で投与中および／または投与前にフィードバックを与える要素（たとえば、ガス漏れセンサ、圧力センサ）を含む。一部の実施形態では、要素は、許容レベルの投与物質が、たとえば尿道開口部の外に逸出することを確認する。
【０１４１】
例示的な照明
一部の実施形態では、デバイスは、たとえば、ノズルの標的領域（たとえば、尿道開口部２０３２、尿道開口部周りの領域）の照明２０３２のための、照明要素、たとえば図２１Ｄの照明要素２１４６（たとえば、ＬＥＤ、電球）を含む。照明要素を含むデバイスの潜在的利点は、薄暗い灯（たとえば公衆トイレ）でデバイスを使用することができることである。
【０１４２】
一部の実施形態では、図２１Ｄに示す照明要素２１４６は、ノズル２１２０と近接近している。たとえば、一部の実施形態では、照明要素は、デバイス本体の外面上で測定して、ノズルから最大１ｍｍ離して、または最大５ｍｍ離して、または最大２０ｍｍ離してデバイス本体上に配設される。一部の実施形態では、照明要素は、光をノズル先端部の方に導く。照明要素がノズルに近接近して配設される、および／または照明要素が光をノズル先端部の方に向けているデバイスの潜在的な利点は、たとえば対比照明によって位置決めが向上するため、ノズル位置決めの精度が向上し、および／またはノズル位置決めおよび／または挿入をさらに容易にすることである。
【０１４３】
次に図２５を参照すれば、一部の実施形態では、照明要素２５４６は、電池２５５６によって少なくとも部分的に給電される。一部の実施形態では、照明要素２５４６は、スイッチ２５５８を（たとえばボタン２５４０を押し下げることによって）閉じることによって電源が入り、任意選択で、配線２５６０によって電池２５５６および照明要素２５４６に接続される。
【０１４４】
尿道内に挿入するための例示的なノズル
一部の実施形態では、ノズル２１１２は、ユーザがかけた圧力によって尿道を機械的に開くのに十分な剛性のものである。一部の実施形態では、ノズルは、ユーザが、ノズルが結合されたデバイス本体を保持しおよび／または導くことによってノズルを尿道に挿入するように十分な剛性のものである。
【０１４５】
一部の実施形態では、ノズル２１１２は、挿入中、ユーザ尿道の輪郭をたどるのに十分な可撓性のものである。
【０１４６】
一部の実施形態では、ノズルは細長いものである。一部の実施形態では、ノズル長さは、０．１〜１０ｃｍ、または０．５〜５ｃｍである。
【０１４７】
一部の実施形態では、ノズルは、ノズル長さに沿って断面が一定である。一部の実施形態では、ノズルは、ノズル長さに沿って断面が先細であり、たとえばこの場合、より大きい断面は、デバイス本体とノズルの連結部にある。
【０１４８】
一部の実施形態では、ノズルは、ほぼ円形断面を含む。一部の実施形態では、ノズル断面は、５ｍｍ〜１２ｍｍの直径である。一部の実施形態では、ノズル断面積は、２０ｍｍ２から１１０ｍｍ２である。
【０１４９】
一部の実施形態では、ノズルは、シリコーン・ゴムから作られる。他の適切な物質としては、たとえば、カテーテルに一般的に使用される物質、たとえばポリウレタン、ポリエチレン・テレフタレート（ＰＥＴＥ）、ラテックス、熱可塑性エラストマーが挙げられる。
【０１５０】
一部の実施形態では、ノズルは、別個の構成要素である。一部の実施形態では、治療ごとに異なるおよび／またはきれいなおよび／または殺菌したノズルが使用される。一部の実施形態では、ノズルは、事前に施与された潤滑剤および／または薬剤を含み、たとえば一部の実施形態では、ノズルキャップは、潤滑剤リザーバを含む。一部の実施形態では、ノズルは、ホルモン薬剤で潤滑される。一部の実施形態では、ホルモン薬剤は、たとえばホルモン関連の尿道脆弱性、たとえば更年期に関連付けられる脆弱性を治療するための女性ホルモン薬剤である。
【０１５１】
一部の実施形態では、デバイスは、コンパクトにするために、たとえばノズルから外して保管される。
【０１５２】
一部の実施形態では、ノズルは、デバイスの本体上にラッチ掛けされる。図２２Ａは、本発明の一部の実施形態による、ラッチ取付具を含むノズルの簡単な概略側面図である。図２２Ｂは、本発明の一部の実施形態による、ノズルの簡単な概略断面図である。
【０１５３】
一部の実施形態では、ノズルは、本発明の一部の実施形態により、デバイスの本体上に螺合する。図２３Ａは、本発明の一部の実施形態による、ねじ取付具を含むノズルの簡単な概略側面図である。図２３Ｂは、本発明の一部の実施形態による、ねじ取付具を含むノズルの簡単な概略断面図である。
【０１５４】
一部の実施形態では、ノズル長さは、調整可能である。調整可能なノズル長さの潜在的利点は、たとえば、肥満のユーザが、位置決め要素（たとえば鏡）のユーザの視界がユーザの腹部で妨げられないようにノズルを延ばすことができることである。調整可能なノズル長さの別の潜在的な利点は、ノズル長さを個人別に調整できることである。
【０１５５】
汚染物質を伴わない物質の例示的な導入
一部の実施形態では、物質は、物質の流れが汚染物質を導入する（たとえばデバイス上の、尿道、皮膚からの、たとえば汚れ、細菌が尿道および／または膀胱内に入る）ことなく、または物質の流れが導入する汚染物質を最小限にして導入される。
【０１５６】
一部の実施形態では、ノズルは、平常時（たとえば、デバイスが物質を投与していないとき）にノズルの本体の内部に配設される反転部分を含む。一部の実施形態では、反転部分は、ノズルから投与される物質の圧力下で反転を戻す。任意選択で、反転部分は、物質を投与し始める前に反転を戻す。任意選択で、反転部分は、物質の投与中、ノズルの大きさ（たとえば長さ）を増大させる。
【０１５７】
図１４Ａは、本発明の一部の実施形態による、デバイスが物質を投与していないときのデバイス・ノズル１４１２の一部の簡単な断面図である。図１４Ｂは、本発明の一部の実施形態による、デバイスが物質を投与しているときの、デバイス・ノズル１４１２の一部の簡単な断面図である。
【０１５８】
たとえば、デバイス・ノズルを尿道内に置く間、汚染物質１４１８が、たとえば、挿入前および／または挿入中にノズル１４１２上および／またはその内部に集まり得る（たとえば、粘液、環境的汚れ、細菌）。一部の実施形態では、汚染物質１４１８は、ノズル出口１４２２を通ってノズル１４１２に入る。
【０１５９】
一部の実施形態では、デバイス・ノズル１４１２（たとえばデバイス先端部）は、反転部分１４１６を含み、この反転部分は、図１４Ａに示すように、デバイスが物質を投与していないとき、ノズルの内部に（たとえば反転構成で）配設される。一部の実施形態では、図１４Ｂに示されるように、物質の投与の結果、反転部分１４１６の反転が戻る。一部の実施形態では、物質は、反転部分出口１４２３を通って投与される。
【０１６０】
物質の投与前および／または投与中に反転が戻る、平常時反転部分をノズルが含む潜在的利点は、汚染物質１４１８が物質の流れと接触せず、たとえば、汚染物質１４１８は、導入物質１４１４によって尿道および／または膀胱内に運ばれにくいことである。
【０１６１】
一部の実施形態では、投与後、反転部分１４１６は、再反転してノズル１４１２内に戻り、たとえば、物質の導入後、ノズルの内部に反転構成（たとえば、図１４Ａに示す構成）に戻る。一部の実施形態では、反転セクション１４１６は、弾性のものであり、および／または形状記憶を有する。
【０１６２】
一部の実施形態では、反転部分１４１６は、可撓性物質、たとえばゴム（たとえばシリコーン・ゴム）から形成される。
【０１６３】
一部の実施形態では、デバイスが物質を投与していないときにノズルの内部に配設される反転セクションは、たとえば、投与物質の圧力下で巻き込むことによって反転を戻す。
【０１６４】
図１５Ａは、本発明の一部の実施形態による、デバイスが物質を投与していないときの、反転部分１５１６を含むデバイス・ノズル１１２の一部の簡単な断面図である。図１５Ｂは、本発明の一部の実施形態による、反転セクション１５１６の巻き込み中のデバイス・ノズル１５１２の一部の簡単な断面図である。図１５Ｃは、本発明の一部の実施形態による、投与中の、反転セクション１５１６を含むデバイス・ノズル１５１２の一部の簡単な断面図である。
【０１６５】
一部の実施形態では、巻き込みの結果、反転部分はデバイス出口を閉じ、および／または制限（図１５Ｂに示すように）して、反転部分の巻き込みが戻る（ｕｎｒｏｌｌ）前に物質が投与されるのを防止し（または投与物質の量を低減し）、物質の流れからすべての汚染物質を排除する。
【０１６６】
図１６Ａは、本発明の一部の実施形態による、反転部分１６２０を含むノズル１６１２の簡単な断面図、およびノズルが女性の尿道１６０４に挿入された女性の断面図である。
【０１６７】
図１６Ｂは、本発明の一部の実施形態による、反転部分１６２０を含むノズル１６１２の簡単な断面図、およびノズルが女性の尿道１６０４に挿入され、物質１６１４を導入している女性の断面図である。図１６Ｂでは、導入物質は、尿道１６０４の一部分を開いている。
【０１６８】
図１６Ｃは、本発明の一部の実施形態による、反転部分１６２０を含むノズル１６１２の簡単な断面図、およびノズルが女性の尿道１６０４に挿入され、物質１６１４を導入している女性の断面図である。図１６Ｂでは、導入物質は、尿道１６０４を膀胱１６００まで開いており、導入物質１６１４は膀胱１６００に入っている。
【０１６９】
一部の実施形態では、ノズルは、平常時にノズルの内部に配設され、物質の投与前および／または投与中にノズルから外に出る（たとえばノズルの大きさを増大させる）部分を含む。一部の実施形態では、平常時にノズルの内部に配設された部分は、任意選択で、可撓性でありおよび／または軟質のものであり（たとえば、ゴム、シリコーン・ゴムから作られており）、たとえば、尿道に対する磨耗および／または損傷を回避する。一部の実施形態では、平常時にノズルの内側に配設された部分は、尿道に対するその部分の摩擦および／または磨耗を低減するために、たとえば、巻き込みが戻ることによってノズルの外側に延びる。潜在的な利点は、より剛性である部分を導入することによって引き起こされる損傷と比較して、尿道に対する損傷を潜在的に小さくしてデバイスを尿道内にさらに導入することである。
【０１７０】
例示的な物質供給源
一部の実施形態では、導入物質は、ノズルに結合された物質供給源（本明細書では「供給源」とも呼ばれる）から、ノズルを通って流れる。図２０Ｂは、本発明の一部の実施形態による、物質供給源２０４９の簡単なブロック図である。一部の実施形態では、供給源２０４９は、物質を貯蔵するための物質貯蔵装置２０５０を含む。一部の実施形態では、物質貯蔵装置２０５０からノズルへの物質の流路は、最初に（物質貯蔵装置２０５０に結合された）圧力調節装置２０５１を通り、次いで（圧力調節装置２０５１に結合された）用量バッファ２０５２を通り、その後（用量バッファ２０５２に結合された）弁２０５３に至り、この弁を通って物質はノズルへと流れる。
【０１７１】
一部の実施形態では、物質貯蔵装置２０５０は、たとえば、最大２００気圧またはそれ以上の圧力で物質を貯蔵する、たとえば、ガス・キャニスタを含む。一部の実施形態では、物質は、異なる相、たとえば液体ガスで物質貯蔵装置２０５０内に貯蔵される。
【０１７２】
一部の実施形態では、たとえば、本文献内の他所で説明するように、供給源２０４９は、ポンプおよび／または入口を含む。たとえば、一部の実施形態では、物質貯蔵装置２０５０は、ポンプおよび入口によって置き換えられる。たとえば、一部の実施形態では、入口に結合されたポンプは、物質貯蔵装置２０５０を充填する。
【０１７３】
任意選択で、一部の実施形態では、物質供給源２０４９は、たとえば物質貯蔵装置に結合された、物質の圧力を適切な圧力におよび／または時間に伴って適した圧力（たとえば、投与前の尿道に損傷を与えない圧力）に調節（たとえば低減、調整）するための圧力調節装置２０５２を含む。任意選択で、圧力調節装置２０５２は、物質の圧力を、物質が投与される圧力に調節する。代替的には、圧力は、流路に沿ってさらに変更される（たとえば、弁２０５３が、投与前および／または投与中、物質圧力を変更する）。
【０１７４】
任意選択で、一部の実施形態では、物質供給源２０４９は、たとえば、物質貯蔵装置２０５０によって物質が装填される、用量サイズを調節するための用量バッファ２０５１を含む。任意選択で、用量バッファ２０５２の容量は調整可能であり、投与物質の用量サイズは、用量バッファ２０５２内に貯蔵された物質を投与することによって調節される。
【０１７５】
一部の実施形態では、物質供給源２０４９は、たとえば物質の投与を制御するための弁２０５３を含む。一部の実施形態では、弁２０５３は、開状態および閉状態を含む。一部の実施形態では、弁は、たとえば投与される物質の量および／または圧力を徐々に増大させるように徐々に開く（および／または閉じる）。
【０１７６】
任意選択で、圧力調節装置２０５１、用量バッファ２０５２、および弁２０５３の２つまたはそれ以上が、組み合わせられる。たとえば、一部の実施形態では、減圧弁が、圧力調節装置２０５１および弁２０５３を含む。
【０１７７】
一部の実施形態では、圧力調節装置２０５１、用量バッファ２０５２、および弁２０５３の流路内の順序は、図２０Ｂに示すものとは異なる。たとえば、一部の実施形態では、圧力は、（流路内で）用量の物質が収集された後調節される（用量バッファ２０５２は、流路内の圧力調節装置２０５１の前にある）。
【０１７８】
任意選択で、一部の実施形態では、供給源は、１つまたは複数の使い捨て部分を含む。たとえば、一部の実施形態では、物質貯蔵装置２０４９は、取り外し可能なキャニスタを含む。任意選択で、取り外し可能なキャニスタは、たとえば、キャニスタがデバイス内の所定位置になる前に物質が逸出することを防止するための内部弁および／またはキャニスタを供給源内の他の要素（たとえば圧力調節装置２０５１）に連結する連結器を含む。
【０１７９】
任意選択で、一部の実施形態では、供給源は、１つまたは複数の再充填可能な部分を含み、たとえば、一部の実施形態では、物質貯蔵装置２０４９は、再充填可能なキャニスタである。たとえば、一部の実施形態では、物質貯蔵装置２０４９は、入口（および任意選択で、たとえば物質が入口を通って逸出することを防止するための弁）を含み、物質貯蔵装置２０４９は、入口から再充填される。一部の実施形態では、物質貯蔵装置２０４９は、取り外され、デバイスの外側で再充填される。一部の実施形態では、物質貯蔵装置２０４９は、デバイス内にあるままで再充填される。
【０１８０】
一部の実施形態では、デバイスは、複数回の治療のために再使用され、たとえば、物質貯蔵装置は、複数回の治療に十分な物質を含む。代替的には、一部の実施形態では、デバイスは単回使用の使い捨てデバイスであり、たとえば、物質貯蔵装置は、少なくとも１回の治療に十分な物質を含む。
【０１８１】
図２４は、本発明の一部の実施形態による、デバイスの簡単な概略断面図である。一部の実施形態では、デバイスは、物質貯蔵装置２４５０を含む物質供給源を含む。一部の実施形態では、物質供給源は、圧力下で物質を貯蔵する（たとえば、物質貯蔵装置２４５０は、ガス・キャニスタである）。
【０１８２】
代替的にまたは追加的に、一部の実施形態では、物質供給源は、入口および（たとえば、入口からの空気を収集および／または圧縮するための）ポンプを含む。一部の実施形態では、周囲空気が、入口を通ってデバイス内に吸引され、ポンプによって圧縮されてから投与される。任意選択で、一部の実施形態では、入口によって収集され、任意選択でポンプによって圧縮された空気は、投与前に（たとえば物質貯蔵装置内に）貯蔵される。任意選択で、一部の実施形態では、物質供給源は、たとえば、収集された周囲空気（たとえばフィルタ）をきれいにするためのクリーニング要素を含む。
【０１８３】
例示的な制御
一部の実施形態では、デバイスは、たとえば、供給源からノズルを通る物質の流れを制御するための制御装置を含む。一部の実施形態では、制御装置は、供給源から投与される物質の量、たとえば、損傷を与えない量の投与を制御する。一部の実施形態では、制御装置は、供給源から投与される物質の圧力、たとえば、損傷を与えない圧力での物質の投与を制御する。
【０１８４】
一部の実施形態では、制御装置は、ユーザが開始したとき、物質の量を（以下でより詳細に説明するように）たとえばユーザ・インターフェースによって投与する。
【０１８５】
一部の実施形態では、デバイスは、他のデバイス機能、たとえば照明のための制御装置を含む。
【０１８６】
例示的な機械的制御
一部の実施形態では、制御装置は、機械的制御装置である。たとえば、一部の実施形態では、物質供給源の弁（たとえば、図２０Ｂの弁２０５３）にボタンが結合され、ボタンを押さえると弁が開き、供給源から物質の量を投与する。一部の実施形態では、投与される物質の量は、ボタンを押さえる持続時間および／またはボタンを押さえる力に対応する。
【０１８７】
図２５は、本発明の一部の実施形態による、投与する調整可能な容量を含むデバイスの簡単な概略断面図である。一部の実施形態では、物質供給源は、物質用量バッファ２５５２に結合された物質貯蔵装置２５５０を含む。一部の実施形態では、たとえば、物質導入開始時（たとえばボタン２５４０を押したとき）、用量バッファ２５５２内の物質は、ノズルを通って投与される。用量バッファの潜在的利点は、ユーザがどのように投与を開始しても（たとえばユーザがボタン２５４０をどのような長さ／強さで押さえても）投与用量は均一であることである。
【０１８８】
一部の実施形態では、投与量サイズ（投与される物質の量）は、たとえば、ノブ２５５４をデバイスの内外に動かして投与量貯蔵装置２５５２の容量を変更する（それぞれ低減または増大させる）ことによって、たとえば機械的に制御される。一部の実施形態では、ノブはデバイスに螺合し、デバイスから螺退する。
【０１８９】
一部の実施形態では、用量バッファ２５５２は、種々の物質圧力における投与を容易にする。たとえば、一部の実施形態では、物質貯蔵装置２５５０からの物質は、用量バッファ２５５２に入り、用量バッファ２５５２内の物質の圧力は、物質貯蔵装置内の物質の圧力より小さい。用量バッファ２５５２の潜在的な利点は、導入物質がユーザに損傷を与える圧力より高い圧力で物質を（たとえば物質貯蔵装置２５５０内に）貯蔵することができることである。
【０１９０】
たとえば、一部の実施形態では、物質は、たとえば、投与前に用量バッファ２５５２内で圧縮され、この潜在的利点は、たとえば、物質貯蔵装置２５５０内の物質の圧力が、物質貯蔵装置２５５０が空になったときに低下する場合でも、投与物質圧力を維持することである。
【０１９１】
例示的な制御および／または安全機能
一部の実施形態では、制御装置は、１つまたは複数の自動安全機能を有する。たとえば、挿入物質の量および／または圧力がユーザ規定されるものである実施形態では、制御装置は、損傷する量および／または圧力を各治療において挿入することを防止する。
【０１９２】
一部の実施形態では、制御装置は、ある時間内に、任意選択で、たとえば２回以上の治療にわたって投与される物質の量を制御し、たとえば、制御装置は、膀胱に損傷を引き起こす量を下回る総量のみを（任意選択で複数回の起動にわたって）期間内に可能にする。たとえば、制御装置は、３時間の期間内に最大１００ｃｃまでの物質のみが導入されることのみを可能にする。一部の実施形態では、この期間は、物質が膀胱から消散するのにかかる時間に関連する時間である。
【０１９３】
例示的な自動制御
一部の実施形態では、制御装置は、プログラミングを有するプロセッサ、メモリ、および専用回路を含む。一部の実施形態では、プロセッサは、投与物質の量および／または頻度を測定し、プロセッサメモリ内に記憶するようにプログラミングされる。一部の実施形態では、プロセッサプログラミングは、任意選択で、たとえば用量および／または投与圧力を含んで個人別に調整された治療計画を含む。
【０１９４】
例示的なユーザ・インターフェース
一部の実施形態では、ユーザは、たとえば、１つまたは複数の制御装置を通して結合されたユーザ・インターフェースによってデバイスからの物質の投与を開始し、および／または他のデバイス機能（たとえば照明、治療計画）を制御する。例示的な実施形態では、ユーザ・インターフェースは、ボタン２１４０である。
【０１９５】
一部の実施形態では、デバイスは、ボタンを１回押さえたときに、物質のある量、たとえば用量を投与する。
【０１９６】
一部の実施形態では、たとえば、尿道に外傷を与える物質量を導入することを防止するために、異なるタイプのユーザ開始（たとえば、異なる圧力および／または持続時間でボタンを押さえる）でも、ほぼ同じ量の物質を投与する。たとえば、一部の実施形態では、ユーザがボタン２１４０をどのような強さまたは長さで（閾値を超えて）押さえても、デバイスは、同じ量の物質を投与する。任意選択で、ユーザは、複数回開始して（たとえばボタンをくり返し押して）投与される量を増大させる。
【０１９７】
代替的には、一部の実施形態では、ユーザは、たとえば、ボタンをより強くおよび／またはより長く押さえることによって、導入される物質の量を制御する。
【０１９８】
一部の実施形態では、ユーザ・インターフェースは、照明要素（たとえば、照明要素２１４６）の起動／停止のために１つまたは複数の要素（たとえばボタン、スイッチ）を含む。任意選択で、一部の実施形態では、単一の要素が、照明要素の起動／停止および物質の投与を制御する。
【０１９９】
例示的な実施形態では、ボタン２１４０の圧縮の圧力および／または深さ、および／または圧縮力が異なる結果、種々の作用が生じる。たとえば、一部の実施形態では、ボタン２１４０の緩いおよび／または半分の圧縮によって照明要素の電源が入り、ボタン１２４０のしっかりとしたおよび／または完全な圧縮によって物質（たとえば物質の単回用量）が投与される。
【０２００】
一部の実施形態では、ユーザ・インターフェースは、１つまたは複数のスイッチを含む。一部の実施形態では、ユーザ・インターフェースは、スクリーン（たとえばタッチスクリーン）を含む。一部の実施形態では、ユーザ・インターフェースはキーパッドを含む。
【０２０１】
一部の実施形態では、ユーザ・インターフェースは、情報、たとえば投与履歴情報（たとえば物質の前回の投与の時間および／または量）、物質供給源内に残る物質の量、電池量などをユーザに表示する。
【０２０２】
一部の実施形態では、デバイスは、ユーザ・インターフェースを持たず、および／または投与は、ユーザがユーザ・インターフェース要素と相互作用せずに行われる。たとえば、一部の実施形態では、デバイスが尿道開口部の適所になったとき、デバイスは、物質（たとえば、物質の単回用量）を自動的に投与する。たとえば、一部の実施形態では、デバイスが適所にあることは、（たとえばデバイス・ノズル上に配置されまたは結合された）圧力センサを使用して確認され、たとえば、圧力センサがシール（たとえば十分に高い圧力）を確認した後、デバイスは物質（たとえば物質の用量）を投与する。
【０２０３】
例示的なシールド
一部の実施形態では、デバイスは、シールドを含み、および／またはシールドに結合される。一部の実施形態では、シールドは、たとえば、ユーザ（たとえばユーザの手またはユーザの衣服）を、たとえば尿、排泄物、逸出した物質から保護する。一部の実施形態では、シールドは、たとえば尿、排泄物、逸出した物質から環境を保護する。
【０２０４】
一部の実施形態では、シールドは、たとえば、尿および／または導入物質を吸収し、および／または通過させない。一部の実施形態では、シールドは、たとえば、性器分泌物、たとえば粘液、膣分泌物、月経血を吸収し、および／または通過させない。一部の実施形態では、きれいなおよび／または新しいシールドが、各治療に使用される。一部の実施形態では、シールドは使い捨てシールドである。
【０２０５】
例示的な個人別の調整
一部の実施形態では、治療のデバイスおよび／または方法は、個々のユーザに対して個人別に調整される。
【０２０６】
一部の実施形態では、デバイスの少なくとも一部の形状および／またはサイズが、個人別に調整される。一部の実施形態では、ノズルの形状および／またはサイズは、ユーザに適合するように個人別に調整される。一部の実施形態では、１つの要素の別の要素に対する相対位置（たとえばノズルおよび位置決めデバイス）は、ユーザに適合するように個人別に調整される。
【０２０７】
一部の実施形態では、導入される物質の量および／または物質の圧力が、ユーザに合わせて個人別に調整される。一部の実施形態では、たとえば各治療の持続時間および／または治療の頻度を含む治療スケジュールが、ユーザに合わせて個人別に調整される。
【０２０８】
ＳＵＩを治療するための例示的なシステム
一部の実施形態では、たとえば上記で説明したデバイスは、緊張性尿失禁を治療するためのシステムの一部である。
【０２０９】
任意選択で、システムは、任意選択でデバイスの外部の、たとえば治療情報の収集および／または追跡のための処理アプリケーション、たとえば、中央システム、個々の医療センターシステム上の処理アプリケーションを、ユーザの電子デバイス（たとえば携帯電話、タブレット、コンピュータ）上のアプリケーションとして含む。一部の実施形態では、システム内の要素間の接続は、無線によるものである。
【０２１０】
任意選択で、一部の実施形態では、システムは診断ツールを含む。
【０２１１】
任意選択で、システムはデータベースを含む。一部の実施形態では、処理アプリケーションは、診断測定値を受け取り、および／または追跡し、この診断測定値は、任意選択で、治療を評価し、および／または治療計画を設計するために使用される。
【０２１２】
一部の実施形態では、データの収集は自動であり、たとえばデバイス測定値は、データベース内に自動的に記録される。追加的にまたは代替的に、データの収集は、システム・ユーザ・インターフェース、たとえばデバイス・ユーザ・インターフェース、および／または別個のシステム・ユーザ・インターフェースに入力することによるものである。
【０２１３】
本発明の一部の例示的な実施形態を適用した例示的な結果
本発明の一部の実施形態の態様を実験的に実証するために、装置が構築された。
【０２１４】
図２６は、本発明の一部の実施形態による、治療されていない膀胱の圧力応答を、治療された膀胱の圧力応答と比較するための例示的な装置を示す。モデル膀胱は、プラスチックボトルから構築され、治療されていない膀胱は、水で充填されたボトル２６６２によってモデル化され、治療された膀胱は、空気２６６６が部分的に充填されたボトル２６６４によってモデル化された。応力圧力応答は、ボトル２６６２、２６６４の両方の上方に置かれた木製厚板２６７０の中心に衝撃を与えること２６６８によってモデル化された。モデル膀胱の圧力応答が、圧力センサ２６７２を使用して測定され、各々の圧力センサは、チューブ２６７４によってモデル膀胱２６６２、２６６４に流体的に取り付けられている。
【０２１５】
図２７は、本発明の一部の実施形態による、２５ｃｃのガスで治療された膀胱２７７６および治療されていない膀胱２７７８の測定された、モデル化された応力圧力応答を示す。図２８は、本発明の一部の実施形態による、５０ｃｃのガスで治療された膀胱２８７６および治療されていない膀胱２８７８の測定された、モデル化された応力圧力応答を示す。グラフの各ピークは、１回の衝撃または応力（木製厚板上の衝撃）に対応する。いずれの治療された膀胱も、治療されていない膀胱と比較して、応力圧力ピークの一貫した低減が見られた。
【０２１６】
尿動態診断手順が、ＳＵＩを煩う被験者に対して実行された。この手順は、第１の圧力センサを被験者の膀胱に挿入し、第２の圧力センサを肛門に挿入することを含んだ。膀胱内の圧力センサはＰｖｅｓを測定し、肛門圧力センサは、腹部内圧力Ｐａｂｄを測定した。排尿筋が誘発した圧力Ｐｄｅｔは、測定された腹部内圧力と膀胱圧力との間の差分として算出された：Ｐｄｅｔ＝Ｐｖｅｓ−Ｐａｂｄ。排尿筋が誘発した圧力は、一部の実施形態では、尿道括約筋上の圧力の測定値として使用され、一部の実施形態では、膀胱からの漏れの可能性の指標として使用される。
【０２１７】
図２９は、本発明の一部の実施形態による、尿動態診断手順中に収集された患者の膀胱圧力測定値を示す。尿動態診断手順は、患者の膀胱を空にし、次いで、膀胱を再充填することを含み、この場合、液体（生理食塩水）の挿入は測定されて、膀胱容量の指標を与えた。種々のレベルの流体の挿入時、患者は咳こみ、膀胱圧力ピークをもたらした。膀胱は次いで空にされ、１２５ｍｌの生理食塩水が５０ｃｃの空気と共に挿入され、空気は、標準的な５０ｃｃシリンジを使用して被験者の膀胱内に挿入された。ピーク膀胱圧力（患者の咳き込みによってもたらされたピーク圧力）が次いで測定され、液体（生理食塩水）の追加の挿入に関して再測定された。この手順の結果が図２９に示される。この結果は、本発明の一部の実施形態によって治療された膀胱のピーク圧力が低減したことを示している。
【０２１８】
上記で説明したような尿動態診断手順が、５人の患者に実行された。これらの結果は、本発明の実施形態によって治療された膀胱に関してピーク排尿筋圧力が低減したことを示している。結果が以下の表１に示される。試験中、一部の患者は尿漏れを経験し、一部の患者は経験しなかった。しかし、一部の実施形態では、ＳＵＩの重症度は、尿漏れの存在（または尿漏れがないこと）に関係無くＰｄｅｔによって査定される。
【０２１９】
【表１】
2018520759.tif 000003
【０２２０】
一部の実施形態では、本発明の態様による治療が効果的である患者を特定する方法は、（空気を患者の膀胱に挿入することによって）患者を治療することと、治療後のピーク膀胱圧力における低減を測定することおよび／または尿漏れにおける低減を特定することおよび／または測定することとを含む。
【０２２１】
一部の実施形態では、閾値および／または閾値割合を超える圧力低減が、本発明の実施形態による治療が適切でありおよび／または有効であることを示す。たとえば、一部の実施形態では、１ｃｍＨ２Ｏを上回る、もしくは５ｃｍＨ２Ｏを上回る、もしくは１０ｃｍＨ２Ｏを上回るピーク圧力の低減、またはこれより小さいもしくはこれより大きいもしくは中間の圧力の低減が測定された場合、治療は、患者に効果的であると考えられ、および／または患者は、本発明の実施形態を使用する治療の適切な候補者となる。たとえば、一部の実施形態では、治療後、１０％を上回る、もしくは２０％を上回る、もしくは４０％を上回る、またはこれより小さいもしくはこれより大きい、もしくは中間の割合のピーク圧力の低減が測定された患者に対して、治療は効果的であると考えられ、および／または患者は、本発明の実施形態を使用する治療の適切な候補者となる。
【０２２２】
一部の実施形態では、治療前に低い（たとえば１０ｃｍＨ２Ｏ未満、または１５ｃｍＨ２Ｏ未満、または５Ｈ２Ｏ未満）ピークｐｄｅｔを有する患者が、本発明の実施形態による治療に適していると考えられる。一部の実施形態では、治療前に高い（たとえば、１０ｃｍＨ２Ｏを上回る、または１５ｃｍＨ２Ｏを上回る、または５Ｈ２Ｏを上回る）ピークｐｄｅｔを有する患者が、本発明の実施形態による治療に適していると考えられる。
【０２２３】
表１を参照すれば、一部の実施形態では、結果が示すのは、治療（５０ｃｃの空気）後のすべての患者のピーク圧力が低減したことである。さらに、患者には、５０ｃｃの空気がピーク圧力を低減するのに極めて効果的であった：患者１、２、および４は１０ｃｍＨ２Ｏを上回る圧力の低減があった。
【０２２４】
追加的にまたは代替的に、一部の実施形態では、尿漏れの低減は、たとえば低減が尿の量および／または漏れがない時間とする閾値を超えるものである場合、治療が適切でありおよび／または有効であることを示す。一部の実施形態では、尿漏れは、治療後、たとえば自己治療後に患者によって測定および／または報告される。一部の実施形態では、本発明の実施形態による治療に対する患者の有効性および／または適切性は、尿動態診断手順を実行することなく査定される。
【０２２５】
一部の実施形態では、患者は、尿動態診断手順を受け、この場合、収集された測定値は、適切な治療、たとえば本発明の一部の実施形態によるデバイスからの物質の投与の量および／または圧力および／または頻度を特定するために使用される。一部の実施形態では、尿動態診断手順からの測定値は、個人別に調整された治療計画、たとえば上記で説明したような個人別の調整、たとえば膀胱内への物質の導入の個人別に調整された量、および／または圧力および／または頻度、たとえば失禁を治療するための薬剤の低減および／または継続を設計するために使用される。一部の実施形態では、尿動態診断手順からの測定値は、治療計画の安全限界、たとえば、挿入物質の最大の量および／または圧力、および／または治療の頻度を確立するために使用される。
【０２２６】
一部の実施形態では、追加的にまたは代替的に、圧力測定値は、適切な治療、たとえば薬剤を使用する、たとえば全身投薬および／または本発明の実施形態によって膀胱に挿入される薬剤を使用する治療を特定するために使用される。
【０２２７】
一部の実施形態では、尿動態診断手順は、自己治療している患者に対して、たとえば本発明の実施形態によって、たとえば（上記で説明したような）デバイスを使用して実行される。一部の実施形態では、測定値は、治療に対する患者の適切性を査定し、および／または自己治療が効果的になるように患者を助けるために使用される。
【０２２８】
概論
本明細書では、用語「約」は±２０％を指す。
【０２２９】
用語「備える」、「備えている」、「含む」、「含んでいる」、「有する」およびその活用語は、「それだけに限定されずに含む」ことを意味する。
【０２３０】
用語「からなる」は、「それに限定されて含む」ことを意味する。
【０２３１】
用語「から本質的になる」は、組成、方法、または構造が、追加の原料、ステップおよび／または部分を含むことができるが、これは、追加の原料、ステップ、および／または部分が、特許請求される組成、方法、または構造の基本的な新規の特徴を大きく変更しない場合のみとする。
【０２３２】
本明細書では、「ａ」、「ａｎ」および「ｔｈｅ」の単数形は、別段文脈によって示されない限り、複数の参照を含む。たとえば、用語「化合物」または「少なくとも１つの化合物」は、その混合物を含む複数の化合物を含むことができる。
【０２３３】
本出願にわたって、本発明のさまざまな実施形態は、範囲形式で提示され得る。範囲形式内の説明は、単に便宜上、簡潔にするためにすぎず、本発明の範囲を柔軟性なく限定するものとして解釈されてはならないことを理解されたい。したがって、範囲の説明は、すべての可能な部分範囲ならびに範囲内の個々の数値を具体的に開示するように考えられなければならない。たとえば、１から６などの範囲の説明は、１から３、１から４、１から５、２から４、２から６、３から６などの部分範囲、ならびにこの範囲内の個々の数字、たとえば１、２、３、４、５、および６を具体的に開示していると考えられなければならない。これは、範囲の幅に関わらず当てはまる。
【０２３４】
数値範囲を本明細書において示すときは常に、示した範囲内のあらゆる引用数値（分数または整数）を含むことを意味する。第１の指示数字と第２の指示数字「の間の領域／範囲」および第１の指示数字「から」第２の指示数字までの「領域／範囲」という句が、本明細書において交換可能に使用され、第１および第２の指示数字、ならびにその間のすべての分数および整数の数字を含むことを意味する。
【０２３５】
本明細書では、「方法」という用語は、それだけに限定されないが、化学的、薬理的、生物学的、生化学的および医療的技術分野の実施者に知られているやり方、手段、技術、および手順、またはその実施者によって、知られているやり方、手段、技術および手順から容易に開発されるやり方、手段、技術、および手順を含む、所与のタスクを達成するためのやり方、手段、技術、および手順を指す。
【０２３６】
本明細書では、「治療する」という用語は、状態の進行を抑止する、実質的に阻害する、遅延する、または逆転させる、状態の臨床的または審美的症状を実質的に改良する、または状態の臨床的または審美的症状の出現を実質的に防止することを含む。
【０２３７】
明確にするために別々の実施形態の文脈で説明する本発明の特定の特徴はまた、１つの実施形態に組み合わせて提供されてもよいことが理解される。それとは対照的に、簡潔にするために単一の実施形態の文脈で説明する本発明のさまざまな特徴は、別々にまたは任意の適切な部分的組み合わせとして、または本発明の任意の他の説明する実施形態に適切なものとして提供されてもよい。さまざまな実施形態の文脈で説明する特定の特徴は、実施形態がこれらの要素無しで動作不能とならない限り、これらの実施形態の必須の特徴であると考えられるものではない。
【０２３８】
本発明は、その特有の実施形態を併用して説明してきたが、数多くの代替策、改変形態、および変形形態が、当業者に明らかであることが明白である。したがって、添付の特許請求の範囲の趣旨および広範な範囲に入るすべてのそのような代替策、改変形態および変形形態を包含することが、意図される。
【０２３９】
本明細書において言及するすべての公報、特許、および特許出願は、各個々の公報、特許、特許出願が、参照によって本明細書に組み込まれるよう具体的に個々に示されるような程度で、全体が参照によって本明細書に組み込まれる。加えて、本出願における任意の参照の引用または特定は、そのような参照が、従来技術として本発明に利用可能であるという自認として解釈されるものではない。項の見出しが使用される範囲において、これらは、必ずしも限定するものと解釈されてはならない。
【０２４０】
関連出願
本出願は、２０１５年７月２９日出願の米国仮特許出願第６２／１９８，１５５号の、米国特許法第１１９条（ｅ）の定めによる優先権の利益を主張するものであり、その内容は、全体的に参照によって本明細書に組み込まれる。
【図１】
2018520759.tif 000004
【図２】
2018520759.tif 000005
【図３】
2018520759.tif 000006
【図４】
2018520759.tif 000007
【図５】
2018520759.tif 000008
【図６Ａ】
2018520759.tif 000009
【図６Ｂ】
2018520759.tif 000010
【図７】
2018520759.tif 000011
【図８】
2018520759.tif 000012
【図９】
2018520759.tif 000013
【図１０】
2018520759.tif 000014
【図１１】
2018520759.tif 000015
【図１２】
2018520759.tif 000016
【図１３Ａ】
2018520759.tif 000017
【図１３Ｂ】
2018520759.tif 000018
【図１４Ａ】
2018520759.tif 000019
【図１４Ｂ】
2018520759.tif 000020
【図１５Ａ】
2018520759.tif 000021
【図１５Ｂ】
2018520759.tif 000022
【図１５Ｃ】
2018520759.tif 000023
【図１６Ａ】
2018520759.tif 000024
【図１６Ｂ】
2018520759.tif 000025
【図１６Ｃ】
2018520759.tif 000026
【図１７Ａ】
2018520759.tif 000027
【図１７Ｂ】
2018520759.tif 000028
【図１８】
2018520759.tif 000029
【図１９】
2018520759.tif 000030
【図２０Ａ】
2018520759.tif 000031
【図２０Ｂ】
2018520759.tif 000032
【図２１Ａ】
2018520759.tif 000033
【図２１Ｂ】
2018520759.tif 000034
【図２１Ｃ】
2018520759.tif 000035
【図２１Ｄ】
2018520759.tif 000036
【図２２Ａ】
2018520759.tif 000037
【図２２Ｂ】
2018520759.tif 000038
【図２３Ａ】
2018520759.tif 000039
【図２３Ｂ】
2018520759.tif 000040
【図２４】
2018520759.tif 000041
【図２５】
2018520759.tif 000042
【図２６】
2018520759.tif 000043
【図２７】
2018520759.tif 000044
【図２８】
2018520759.tif 000045
【図２９】
2018520759.tif 000046
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
物質を尿道に挿入するためのデバイスであって、
丸みのあるノズル先端部を備え、前記尿道に少なくとも部分的に挿入されるようにサイズ設定されたノズルと、
前記ノズルに結合された圧縮物質の供給源であって、前記圧縮物質の圧力が７０〜２００ｃｍＨ２０の範囲にある、圧縮物質の供給源と、
前記供給源から前記ノズルを通る物質の流れを制御するための制御装置とを備え、
前記デバイスの最大の大きさが、３０ｃｍ未満である、物質を尿道に挿入するためのデバイス。
【請求項２】
前記ノズルの少なくとも一部分が、前記尿道に対してシールするようにサイズ設定され成形される、請求項１に記載のデバイス。
【請求項３】
前記ノズルが、デバイス本体に結合され、
前記ノズルが、前記デバイスが前記デバイス本体を使用して導かれたときに前記ノズルを前記尿道に挿入することができるように十分な剛性のものである、請求項１に記載のデバイス。
【請求項４】
前記圧縮物質の前記圧力が、前記尿道をノズル先端部から膀胱まで開く、請求項１に記載のデバイス。
【請求項５】
前記ノズルが、平常時に前記ノズルの本体の内部に反転される部分を含み、
前記物質の前記圧力が、前記部分の反転を戻す、請求項１に記載のデバイス。
【請求項６】
前記供給源が、加圧物質容器を備える、請求項１に記載のデバイス。
【請求項７】
前記供給源が、
物質容器と、
圧縮可能な物質の収集のための入口と、
前記入口に結合された、収集された物質を圧縮して前記物質容器に入れるためのポンプとを備える、請求項１に記載のデバイス。
【請求項８】
前記制御装置が、最大量を上回る物質が期間内に投与されることを防止する、請求項１に記載のデバイス。
【請求項９】
前記ノズルを前記尿道と位置合わせするための位置決め要素を備える、請求項１に記載のデバイス。
【請求項１０】
前記位置決め要素の少なくとも一部分が、体部分内に置かれるようにサイズ設定され成形される、請求項９に記載のデバイス。
【請求項１１】
前記位置決め要素が、尿道に対する前記デバイスの少なくとも一部分の場所に関して少なくとも１つの視覚的手がかりをユーザに与えるための視覚的要素を備える、請求項９に記載のデバイス。
【請求項１２】
前記位置決め要素が、鏡を備える、請求項１１に記載のデバイス。
【請求項１３】
前記位置決め要素が、カメラを備える、請求項１１に記載のデバイス。
【請求項１４】
前記圧縮物質が、ガスである、請求項１に記載のデバイス。
【請求項１５】
前記圧縮物質が、大気である、請求項１に記載のデバイス。
【請求項１６】
前記圧縮物質が、液体および圧縮可能な要素の混合物である、請求項１に記載のデバイス。
【請求項１７】
前記圧縮可能な要素が、気泡である、請求項１６に記載のデバイス。
【請求項１８】
前記物質が、薬剤を含む、請求項１に記載のデバイス。
【請求項１９】
前記薬剤が、化学療法薬剤、抗生物質、過活動膀胱薬剤、およびこれらの薬剤の組み合わせからなる群から選択される、請求項１８に記載のデバイス。
【請求項２０】
物質を尿道に挿入するためのデバイスであって、
圧縮物質の供給源であって、前記圧縮物質の圧力が７０〜２００ｃｍＨ２０の範囲にある、圧縮物質の供給源と、
前記供給源に結合され、前記尿道の周りの生殖器組織に対してシールを形成するように適合された丸みのあるノズルであって、前記シールは、前記圧縮物質の前記圧力に耐えることができる、丸みのあるノズルと、
前記供給源から前記ノズルを通る物質の流れを制御するための制御装置とを備え、
前記圧力が、前記尿道を尿道開口部から膀胱まで開くのに十分であり、
前記デバイスの最大の大きさが、３０ｃｍ未満である、デバイス。
【請求項２１】
前記供給源が、加圧物質容器を備える、請求項２０に記載のデバイス。
【請求項２２】
前記供給源が、
物質容器と、
圧縮可能な物質の収集のための入口と、
前記入口に結合された、収集された物質を圧縮して前記物質容器内に入れるためのポンプとを備える、請求項２０に記載のデバイス。
【請求項２３】
前記制御装置が、最大量を上回る物質が期間内に投与されることを防止する、請求項２０に記載のデバイス。
【請求項２４】
前記圧縮物質が、ガスである、請求項２０に記載のデバイス。
【請求項２５】
前記圧縮物質が、大気である、請求項２０に記載のデバイス。
【請求項２６】
前記圧縮物質が、液体および圧縮可能な要素の混合物である、請求項２０に記載のデバイス。
【請求項２７】
前記圧縮可能な要素が、気泡である、請求項２６に記載のデバイス。
【請求項２８】
前記物質が、薬剤を含む、請求項２０に記載のデバイス。
【請求項２９】
前記薬剤が、化学療法薬剤、抗生物質、過活動膀胱薬剤、およびこれらの薬剤の組み合わせからなる群から選択される、請求項２８に記載のデバイス。
【請求項３０】
緊張性尿失禁の治療の非外傷的方法であって、
２００ｃｃ未満の加圧物質を尿道内に導入することを含み、前記物質の圧力が、７０〜２００ｃｍＨ２０の範囲にあり、前記圧力が、膀胱の近位にある前記尿道の少なくとも一部分を開くのに十分なものであり、それによって前記物質は膀胱内に進行する、緊張性尿失禁の治療の非外傷的方法。
【請求項３１】
前記導入することが、反復される、請求項３０に記載の方法。
【請求項３２】
最大量未満の物質が、期間内に投与される、請求項３１に記載の方法。
【請求項３３】
前記導入することが、ユーザ入力に基づくものである、請求項３０に記載の方法。
【請求項３４】
物質の量が、ユーザ入力によって規定される、請求項３０に記載の方法。
【請求項３５】
圧縮物質を提供することを含む、請求項３０に記載の方法。
【請求項３６】
提供することが、空気を圧縮することを含む、請求項３５に記載の方法。
【請求項３７】
前記膀胱内の前記物質が、ピーク膀胱衝撃圧力応答を前記尿道が開く圧力（ｐｕｒａ）未満に低減する、請求項３０に記載の方法。
【請求項３８】
ノズルとユーザ尿道を位置合わせすることを含む、請求項３０に記載の方法。
【請求項３９】
前記導入することが、ユーザによるものであり、
前記尿道が、ユーザ尿道である、請求項３０に記載の方法。
【国際調査報告】
2018520759.tif 000047